(57)【要約】【課題】遊技者が遊技することができない状態のときに限り、封入された遊技媒体を遊技機の外部へ排出することのできる遊技機を提供する。【解決手段】  持点の減点と引き換えに、内部に封入した遊技媒体を使用して遊技を行う遊技機である。遊技機は、遊技に使用された遊技媒体を回収して再び遊技に使用可能な位置まで循環させるための循環路２３、２５、２７と、持点がないときに、遊技媒体を外部へ排出可能な排出手段１９、２１ａと、を備える。【選択図】図５
2020014953.tif 000002
【特許請求の範囲】
【請求項１】
持点の減点と引き換えに、内部に封入した遊技媒体を使用して遊技を行う遊技機であって、
遊技に使用された遊技媒体を回収して再び遊技に使用可能な位置まで循環させるための循環路と、
遊技媒体を外部へ排出可能な排出手段と、
遊技媒体を用いた遊技が行われる遊技盤を保持する遊技盤保持枠と、
前記遊技盤の前面側に設けられる透明部材を保持する透明部材保持枠と、
前記遊技盤保持枠が開放されたときに操作可能な操作手段と、
前記持点がなく、前記遊技盤保持枠が開放され、前記透明部材保持枠が前記遊技盤保持枠に装着され、かつ、前記操作手段が操作されている状態で、電源が投入されたことを条件に、前記排出手段によって遊技媒体を外部へ排出可能な状態に移行する排出可能状態移行手段と、
を備えることを特徴とする遊技機。
【発明の詳細な説明】
【技術分野】
【０００１】
本発明は、パチンコ遊技機等の遊技機に係り、特に封入した遊技媒体を用いて遊技を行う遊技機に関する。
【背景技術】
【０００２】
遊技機として、遊技球などの遊技媒体を発射装置によって遊技領域に発射し、遊技領域に設けられている入賞口などの入賞領域に遊技媒体が入賞することによって、得点を付与する封入式パチンコ遊技機がある。さらに、所定の入賞領域に遊技媒体が入賞する（始動条件が成立する）と識別情報を可変表示（「変動」ともいう）可能な可変表示装置が設けられ、可変表示装置において識別情報の可変表示の表示結果が特定表示結果（大当り図柄）となった場合に遊技者にとって有利な特定遊技状態（大当り遊技状態）に制御可能になるように構成されたものがある。
【０００３】
封入式パチンコ遊技機には、複数の遊技球（遊技媒体）が封入されている。封入式パチンコ遊技機は、封入された遊技球を循環させることで遊技球を用いた遊技を提供する。このように封入された遊技球は、通常時に遊技機の外部へ排出されることはない。しかしながら、遊技機のメンテナンスや入れ替えの際に遊技機の外部へ遊技球を排出する必要がある。そのため、封入された遊技球を外部へ排出する手段を、封入式パチンコ遊技機に設ける必要がある。特許文献１は、打球発射装置の近傍にある発射レールと打球ストッパとの間隔を変えることのできる封入式パチンコ遊技機を開示している。この封入式パチンコ遊技機は、発射レールと打球ストッパとの間隔を遊技球の大きさよりも大きくすることで、遊技球を遊技機の外部へ排出することができる。
【先行技術文献】
【特許文献】
【０００４】
【特許文献１】特開２０１３−５５９７７号公報
【発明の概要】
【発明が解決しようとする課題】
【０００５】
特許文献１に開示された封入式パチンコ遊技機においては、遊技者が遊技している場合においても、遊技媒体（遊技球）が遊技機の外部へ排出される可能性がある。このように、遊技中に遊技媒体が遊技機の外部へ排出されると、遊技の途中で遊技ができなる等、遊技者に不利益を与える可能性がある。
【０００６】
そこで、本発明は、遊技者が遊技することができない状態のときに限り、封入された遊技媒体を遊技機の外部へ排出することのできる遊技機を提供することを目的とする。
【課題を解決するための手段】
【０００７】
（１）上記目的を達成するため、本願に係る遊技機は、
持点の減点と引き換えに、内部に封入した遊技媒体を使用して遊技を行う遊技機（例えば、パチンコ遊技機１）であって、
遊技に使用された遊技媒体を回収して再び遊技に使用可能な位置まで循環させるための循環路（例えば、研磨装置２３、玉揚送装置２５、発射装置１４と、を含み、パチンコ遊技機１内を一周して、もとの位置に戻るように構成された経路）と、
遊技媒体を外部へ排出可能な排出手段（例えば、玉抜き操作スイッチ９０、玉抜き路７６）と、
遊技媒体を用いた遊技が行われる遊技盤（例えば、遊技盤２）を保持する遊技盤保持枠（例えば、本体枠１００）と、
前記遊技盤の前面側に設けられる透明部材（例えば、透明カバー１１）を保持する透明部材保持枠（例えば、上部前面枠３Ａ）と、
前記遊技盤保持枠が開放されたときに操作可能な操作手段（玉抜きスイッチ１９、電源スイッチ２１ａ）と、
前記持点がなく、前記遊技盤保持枠が開放され、前記透明部材保持枠が前記遊技盤保持枠に装着され、かつ、前記操作手段が操作されている状態で、電源が投入されたことを条件に、前記排出手段によって遊技媒体を外部へ排出可能な状態に移行する排出可能状態移行手段（払出制御部１７１）と、
を備えることを特徴とする。
上記（１）の遊技機において、
遊技媒体を遊技領域に発射する発射手段（例えば、発射装置１４）を備え、
前記排出手段は、前記発射手段によって発射された遊技媒体の経路を、前記循環路（例えば、循環路９１）と前記遊技機の外部へ排出するための排出路（例えば、玉抜き路７６）との間で切り替える切替手段（例えば、玉抜き操作スイッチ９０）を有する、
ことを特徴とする。
【０００８】
このような構成によれば、遊技者が遊技することができない状態のときに限り、封入された遊技媒体を遊技機の外部へ排出することができる遊技機を提供することができる。
【０００９】
（２）上記目的を達成するため、本願に係る遊技枠は、
持点の減点と引き換えに、内部に封入した遊技媒体を使用して遊技を行う遊技機の遊技枠（例えば、本体枠１００）であって、
遊技媒体が流れる流路（例えば、研磨装置２３、遊技球検出装置２７を含む遊技球の経路）と、
遊技媒体を外部へ排出可能な排出手段（例えば、玉抜き操作スイッチ９０、玉抜き路７６）と、
遊技媒体を用いた遊技が行われる遊技盤（例えば、遊技盤２）を保持する遊技盤保持枠（例えば、枠体１００ａ）と、
前記遊技盤の前面側に設けられる透明部材（例えば、透明カバー１１）を保持する透明部材保持枠（例えば、上部前面枠３Ａ）と、
前記持点がなく、前記遊技盤保持枠が開放され、前記透明部材保持枠が前記遊技盤保持枠に装着され、かつ、前記遊技盤保持枠が開放されたときに操作可能な操作手段（例えば、玉抜きスイッチ１９、電源スイッチ２１ａ）が操作されている状態で、電源が投入されたことを条件に、前記排出手段によって遊技媒体を外部へ排出可能な状態に移行する排出可能状態移行手段（払出制御部１７１）と、
を備えることを特徴とする。
上記（２）の遊技枠において、
前記排出手段は、発射手段によって発射された遊技媒体の経路を、前記遊技機を循環するための循環路（例えば、循環路９１）と前記遊技機の外部へ排出するための排出路（例えば、玉抜き路７６）との間で切り替える切替手段（例えば、玉抜き操作スイッチ９０）を有する、
ことを特徴とする。
【００１０】
このような構成によれば、遊技者が遊技することができない状態のときに限り、封入された遊技媒体を遊技機の外部へ排出することができる遊技枠を提供することができる。
【００１１】
（３）上記（１）の遊技機において、
遊技媒体を用いた遊技が行われる遊技盤（例えば、遊技盤２）を保持する遊技盤保持枠（例えば、本体枠１００）と、
前記遊技盤の前面側に設けられる透明部材（例えば、透明カバー１１）を保持する透明部材保持枠（例えば、上部前面枠３Ａ）と、
前記遊技盤保持枠が開放されたときに操作可能な操作手段（例えば、玉抜きスイッチ１９、電源スイッチ２１Ａ）と、
遊技に使用可能な遊技媒体がなく、前記遊技盤保持枠が開放され、前記透明部材保持枠が前記遊技盤保持枠に装着され、かつ、前記操作手段が操作されている状態で、電源が投入されたことを条件に、前記遊技媒体を外部へ排出可能な状態に移行する排出可能状態移行手段（例えば、払出制御部１７１）と、を更に備えることを特徴とする。
【００１２】
このような構成によれば、遊技者が誤って遊技媒体を外部へ排出してしまうことを防止することができる。
【００１３】
（４）上記（３）の遊技機において、
前記遊技媒体を外部へ排出可能な状態にある間、外部との通信を制限することを特徴とする。
【００１４】
このような構成によれば、遊技媒体を外部へ排出可能な状態にある間に、外部との通信において異常を発生させることを防止することができるとともに、不正行為を防止することができる。
【００１５】
（５）上記（１）、（３）、及び（４）の何れかの遊技機において、
遊技媒体を遊技領域に発射する発射手段（例えば、発射装置１４）と、
前記発射手段によって発射された遊技媒体の経路を、前記遊技機内で循環するための循環路（例えば、循環路９１）と前記遊技機の外部へ排出するための排出路（例えば、玉抜き路７６）との間で切り替える切替手段（例えば、玉抜き操作スイッチ９０）と、を更に備えることを特徴とする。
【００１６】
このような構成によれば、発射手段を用いて、遊技機内の遊技媒体を外部へ排出することができるので、遊技機の製造コストを抑制することができる。
【図面の簡単な説明】
【００１７】
【図１】本発明の実施形態に係る遊技機の正面図であり、主要部材の配置レイアウトを示す。
【図２】本発明の実施形態に係る遊技機の分解斜視図である。
【図３】本発明の実施形態に係る遊技機の本体枠を前方から見た斜視図。
【図４】本発明の実施形態に係る遊技機の本体枠を後方から見た斜視図。
【図５】本発明の実施形態に係る遊技機の本体枠を後方から見た分解斜視図。
【図６】本発明の実施形態に係る遊技機の本体枠を後方から見た分解斜視図。
【図７】本発明の実施形態に係る遊技機の遊技球検出装置の斜視図であり、（ａ）は後方から見た図、（ｂ）は前方から見た図。
【図８】本発明の実施形態に係る遊技機の遊技球検出装置を前方から見た分解斜視図。
【図９】本発明の実施形態に係る遊技機の遊技球検出装置を後方から見た分解斜視図。
【図１０】本発明の実施形態に係る遊技機の遊技球検出装置に遊技球が吸着され塞き止められた様子を示した分解斜視図であり、（ａ）は後方から見た図、（ｂ）は前方から見た図。
【図１１】本発明の実施形態に係る遊技機の研磨装置の斜視図であり、（ａ）は前方から見た図、（ｂ）は後方から見た図。
【図１２】本発明の実施形態に係る遊技機の研磨装置を前方から見た分解斜視図。
【図１３】本発明の実施形態に係る遊技機の研磨装置を後方から見た分解斜視図。
【図１４】本発明の実施形態に係る遊技機の研磨装置を後方から見た分解斜視図。
【図１５】本発明の実施形態に係る遊技機の玉揚送装置を後方から見た分解斜視図。
【図１６】本発明の実施形態に係る遊技機の発射装置を示す正面図。
【図１７】本発明の実施形態に係る遊技機の発射装置の球通路に遊技媒体が充満した状態を示した斜視図。
【図１８】図１７に示す発射装置の一部を省略することで遊技球の入口を示した、発射装置の斜視図。
【図１９】本発明の実施形態に係る遊技機の発射装置を後方からみた斜視図。
【図２０】本発明の実施形態に係る遊技機のカードユニットおよびパチンコ遊技機に用いられる制御回路を示すブロック図。
【図２１】本発明の実施形態に係る遊技機の玉移動制御モード処理を示すフローチャート。
【図２２】本発明の実施形態に係る遊技機の玉移動制御処理を示すフローチャート。
【図２３】（ａ）は図２２に示す玉補給処理の詳細を示すフローチャート、（ｂ）は図２２に示す通常時玉循環処理の詳細を示すフローチャート、（ｃ）は図２２に示す玉送り処理の詳細を示すフローチャート。
【図２４】図２２に示す異常検知処理の詳細を示すフローチャート。
【図２５】図２４に示すフローチャートの続きを示した、異常検知処理の詳細を示すフローチャート。
【図２６】図２２に示す玉抜き処理の詳細を示すフローチャート。
【発明を実施するための形態】
【００１８】
以下、図面を参照しつつ、本発明の１実施形態に係る遊技機を詳細に説明する。図１は、本発明の実施形態に係る遊技機の正面図であり、主要部材の配置レイアウトを示す。パチンコ遊技機（遊技機）１は、本体枠１００と、本体枠１００左側に上下を回動自在で且つ着脱自在に軸支された上部前面枠３Ａと、この上部前面枠３Ａの下側に位置して本体枠１００の一側に上下を回動自在で且つ着脱自在に軸支された下部前面枠３Ｂと、下部前面枠３Ｂの前面に配置される表示用ユニット５０を備えている。パチンコ遊技機１では、上部前面枠３Ａと下部前面枠３Ｂと表示用ユニット５０とで遊技機１の前面を構成している。
【００１９】
上部前面枠３Ａと下部前面枠３Ｂとは相互に分離しており、上部前面枠３Ａは、一側上下に取り付けられた軸受部３１ａ、３１ｂが本体枠１００の図示しないヒンジ部に軸支されることによって、本体枠１００に対して回動可能に取り付けられている。この上部前面枠３Ａには遊技盤面を構成する遊技盤（ゲージ盤）２が着脱自在に取り付けられている。遊技盤２には、ガイドレールによって囲まれた、外縁をほぼ円形状とする遊技領域が形成されている。この遊技領域には、遊技媒体としての遊技球が発射されて打ち込まれる。
【００２０】
遊技盤２の所定位置（図１に示す例では、遊技領域の右下の縁上）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００２１】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００２２】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００２３】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００２４】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２５】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２６】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２７】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２８】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２９】
図１に示す例では、始動入賞記憶表示エリア５Ｈとともに、第１特別図柄表示装置４Ａ及び第２特別図柄表示装置４Ｂの下部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００３０】
遊技盤２における遊技領域の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図示しないソレノイドによって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００３１】
一例として、普通可変入賞球装置６Ｂでは、普通電動役物用のソレノイドがオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイドがオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００３２】
普通入賞球装置６Ａに形成された第１始動入賞口や普通可変入賞球装置６Ｂに形成された第２始動入賞口を通過（進入）した遊技球は、例えば図示しない第１始動口スイッチや第２始動口スイッチによって検出される。第１始動口スイッチによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチによって遊技球が検出されたことに基づいて払い出される賞球の個数と、第２始動口スイッチによって遊技球が検出されたことに基づいて払い出される賞球の個数は、互いに同一の個数であってもよいし、異なる個数であってもよい。
【００３３】
普通入賞球装置６Ａと普通可変入賞球装置６Ｂの下方には、特別可変入賞球装置７が設けられている。特別可変入賞球装置７は、大入賞口扉用の図示しないソレノイドによって開閉駆動される大入賞口扉を備え、その大入賞口扉によって開放状態と閉鎖状態とに変化する特定領域としての大入賞口を形成する。
【００３４】
一例として、特別可変入賞球装置７では、大入賞口扉用のソレノイドがオフ状態であるときに大入賞口扉が大入賞口を閉鎖状態として、遊技球が大入賞口を通過（進入）できなくする。その一方で、特別可変入賞球装置７では、大入賞口扉用のソレノイドがオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００３５】
大入賞口を通過（進入）した遊技球は、例えば図示しないカウントスイッチによって検出される。カウントスイッチによって遊技球が検出されたことに基づき、所定個数（例えば１５個）の賞球がカウントされる。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球がカウントされる。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３６】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００３７】
普通図柄表示器２０の上方には、普図保留表示器２５Ｃが設けられている。普図保留表示器２５Ｃは、例えば４個のＬＥＤを含んで構成され、通過ゲート２６を通過した有効通過玉数としての普図保留記憶数を表示する。
【００３８】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球としてカウントされればよい。遊技領域の最下方には、いずれの入賞口にも進入しなかった遊技球が取り込まれるアウト口８が設けられている。
【００３９】
上部前面枠３Ａの左右上部位置には、効果音等を再生出力するためのスピーカ８Ｌ、８Ｒが設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。
【００４０】
なお、パチンコ遊技機１は、内部に遊技媒体の一例の遊技球（パチンコ玉）を封入した封入式パチンコ遊技機である。封入式パチンコ遊技機は、遊技者の持ち点の減点と引き換えに内部に封入した遊技球を使用して遊技を行うパチンコ遊技機である。封入式パチンコ遊技機には、磁石を用いた不正を防止するために、非磁性体の遊技球が封入される。遊技者が打球操作ハンドル３７を操作することにより、発射装置１４（図２）に含まれる発射ソレノイド４１（図１６〜図１８）を駆動させて遊技球を１発ずつ遊技盤２の遊技領域に打込んで遊技ができるように構成されている。具体的には、打球操作ハンドル３７の周囲にタッチセンサが設けられており、遊技者が打球操作ハンドル３７を操作している状態でその遊技者の手がタッチセンサに触れ、その遊技者の手の接触をタッチセンサで検知して発射ソレノイド４１（図１６〜図１８）が駆動される。この状態で、遊技者による打球操作ハンドル３７の回動操作量に応じて打球発射の勢いが調整されて遊技球が遊技領域内に発射される。
【００４１】
遊技領域内に打込まれた遊技球はいずれかの入賞口に入賞するかあるいは入賞することなくアウト口８に回収される。入賞口に入賞した遊技球およびアウト口８に回収された遊技球は、再度パチンコ遊技機１内の循環路を通って発射位置１４にまで戻される。そして、遊技者が打球操作ハンドル３７を操作することにより、再びその打球発射位置にある遊技球が遊技領域内に打込まれる。
【００４２】
パチンコ遊技機１（以下、Ｐ台と略称することもある）の側方には、カードユニット１０（以下、ＣＵと略称することもある）が１対１に対応設置されている。このカードユニット１０は、会員登録をしていない一般の遊技者に対して発行される遊技用記録媒体であるプリペイド機能を備えるビジターカードや、該遊技場に会員登録した会員遊技者に対して発行される遊技用記録媒体である会員カードを受付けて、それらカードの記録情報により特定される遊技者所有の遊技価値（たとえばカード残高、持玉数、あるいは貯玉数等）を用いて対応するパチンコ遊技機１における遊技媒体の一例の封入玉を弾発発射させて遊技ができるようにするための機能を有する。なお、ビジターカードや会員カードはＩＣカードで構成されている。
【００４３】
それらのカードを受付けたカードユニット１０は、カードの記録情報により特定される遊技者所有の遊技価値（たとえばカード残高、持玉数、あるいは貯玉数等）を“遊技玉のデータ”に変換する機能を有する。パチンコ遊技機１では、遊技玉のデータによって特定される玉数相当の弾球遊技が可能とされる。
【００４４】
カードユニット１０の前面側には、紙幣を挿入するための紙幣挿入口３０２、会員カードやビジターカードを挿入するためのカード挿入／排出口３０９などが設けられている。このカード挿入／排出口３０９に挿入された会員カードやビジターカードがカードリーダライタ（図示略）に受付けられ、そのカードに記録されている情報が読取られる。
【００４５】
ここで、「貯玉」とは、遊技場に預入れられた遊技媒体であり、一般的に当該遊技場に設置されたホール用管理コンピュータやその他の管理コンピュータにより管理される。
【００４６】
「持玉数」とは、遊技者が遊技機により遊技を行なった結果遊技者の所有となった遊技玉数をカードに記録したものであって、未だに遊技場に預入れられていない玉数のことである。一般的には、遊技場において当日遊技者が獲得した玉数を「持玉」と言い、前日以前に遊技者が獲得した玉数であって遊技場に預入れられた玉数を「貯玉」と言う。
【００４７】
「遊技玉」とは、遊技機で発射可能な玉数のデータである。このデータは、プリペイドカードの残高、持玉、あるいは貯玉を引落すことと引き換えにして生成される。
【００４８】
なお、持玉数を遊技場に設定された持玉数管理用の管理装置で管理してもよい。要するに、「貯玉」と「持玉」との違いは、遊技場に預入れるための貯玉操作が行なわれて遊技場に預入れられた玉数であるか、あるいは、未だに遊技場に預入れられていない段階の玉数であるかの点である。
【００４９】
本実施形態では、貯玉データは会員カードに直接記録させずホール用管理コンピュータ等の遊技場に設置されたホールサーバに会員カード番号と対応付けて記憶させ、会員カード番号に基づいて対応する貯玉を検索できるように構成されている。一方、持玉は、カードに直接記録している。しかし、それに限定されるものではなく、両者ともにホールサーバにカード番号と対応付けて記憶させてもよい。ビジターカードの場合も、持玉は、ビジターカードに直接記録している。しかし、それに限定されるものではなく、持玉をホールサーバにカード番号と対応させて記憶させてもよい。このホールサーバにカード番号と対応させて記憶させる際に、ホールサーバに記憶させた時刻を特定できるデータをカード（会員カード、ビジターカード）に書込んで排出してもよい。また、プリペイド残高についてはカード（会員カード、ビジターカード）に直接書込んで排出する。
【００５０】
なお、持玉を、カード（会員カード、ビジターカード）、またはホールサーバに記憶させるタイミングは、たとえば、計数ボタンが操作されて計数処理が行なわれるたびにリアルタイムに記憶させる、一定周期ごとに記憶させる、またはカードを返却するときに一括して記憶させるなどがある。
【００５１】
紙幣挿入口３０２に挿入された紙幣は、貨幣識別器（図示略）により取込まれてその真贋や紙幣種別の識別がなされる。
【００５２】
なお、下部前面枠３Ｂには、複数の操作スイッチ群３８が形成されている。これらの操作スイッチ群３８としては、例えば、玉貸ボタン（貸出ボタンとも言う）と返却ボタンである。玉貸ボタンは、挿入されたカードに記録されている残高を引落して、パチンコ遊技機１による遊技に用いるための操作（遊技玉への変換操作）を行なうボタンである。返却ボタンは、遊技者が遊技を終了するときに操作され、挿入されているカードに遊技終了時の確定した遊技玉数（カード挿入時の持玉数−遊技玉への変換数＋計数操作によって計数された持玉数）を記憶させて排出するための操作ボタンである。なお、玉貸ボタン、返却ボタンはカードユニット１０に設けられていてもよい。
【００５３】
図２は、本発明の実施形態に係る遊技機の分解斜視図である。図２に示すように、パチンコ遊技機１を正面（後述する前方）から見た場合の上下左右方向をそのまま以下の説明で用いるとともに、パチンコ遊技機１に対して遊技者が位置する側を前方（その反対側を後方）として以下の説明をする。なお、図に示すように、パチンコ遊技機１は、各構成部材が前後方向に重なって構成されている。
【００５４】
パチンコ遊技機１は、上下方向に縦長の方形状の外枠６０を有している。外枠６０は、木製の板材からなる上板６１及び下板６２と、鋼製の板材からなる左右の側板６３、６４とから構成されている。上板６１と左右の側板６３，６４、及び下板６２と左右の側板６３，６４とは取付金具６５により連結されている。これにより、外枠６０は、方形状に形成されている。なお、左右の側板６３，６４は、鋼材に限定されず、アルミ材やステンレス材等の金属材料から構成することができる。また、外枠６０の左上部に設けられた取付金具６５には、軸孔６５ａが形成されている。また、外枠６０の左下部に設けられた図示しない取付金具には、上方に突出した軸ピン（不図示）が形成されている。
【００５５】
また、パチンコ遊技機１は、この外枠６０に回動可能に支持される本体枠１００を有している。本体枠１００は、例えば、ポリエチレンやポリプロピレン等の合成樹脂から形成されており、前述の外枠６０と同様に方形状をなしている。本体枠１００は、遊技盤２を保持する。また、本体枠１００には、後述するように、発射装置１４等の種々の駆動手段が取り付けられている。本体枠１００の左上部には、下方に向いた軸ピン１０１ａが形成された連結片１０１が前方に突出するように取り付けられている。また、本体枠１００の左下部には、上方に突出した軸ピン１０２ａが形成されるとともに下面に図示しない軸孔が形成された連結片１０２が、前方に突出するように取り付けられている。
【００５６】
そして、外枠６０の取付金具６５に形成された軸孔６５ａに、本体枠１００の連結片１０１に形成された軸ピン１０１ａが挿通されるとともに、外枠６０の左下部に設けれれた図示しない軸ピンが、連結片１０２に形成された図示しない軸孔に挿通されることで、本体枠１００は外枠６０に回動可能に支持されている。
【００５７】
また、パチンコ遊技機１は、本体枠１００に回動可能に支持される上部前面枠３Ａを備えている。上部前面枠３Ａには、遊技盤２に形成された遊技領域に対応した開口である透視窓３Ｃが形成されている。そして、この透視窓３Ｃを後方から覆う透明カバー１１が、周知の固定手段（例えば、ネジ止め）により上部前面枠３Ａに取り付けられている。透明カバー１１は、例えば、ガラス体から構成されている。これにより、遊技者は、透視窓３Ｃに取り付けられた透明カバー１１を通して遊技盤２の遊技領域を視認することができる。なお、このように取り付けられた透明カバー１１は、遊技盤２との間に遊技球の直径よりも大きな隙間を形成する。これにより、発射装置１４により発射された遊技球は、遊技領域を流下する。なお、透視窓３Ｃに設ける透明カバー１１としてはガラス体に限定されず、その他、アクリル樹脂やポリカーボネート樹脂等の透明な合成樹脂を用いてもよい。
【００５８】
なお、本体枠１００の連結片１０３の下面には、図示しない軸孔が形成されている。また、本体枠１００の連結片１０４の上面には、上方に突出した軸ピン１０４ａが形成されている。上部前面枠３Ａは、これらの軸孔（不図示）及び軸ピン１０４ａにより軸支されて、本体枠１００に回動可能に支持されている。
【００５９】
また、パチンコ遊技機１は、上部前面枠３Ａの下方に、下部前面枠３Ｂを備えている。
下部前面枠３Ｂの前面上側には、持点表示部３５と操作部３６が設けられており、また、下部前面枠３Ｂの右側には、遊技球を発射するための打球操作ハンドル３７が設けられている。持点表示部３５は、７セグメント、ドットマトリクスのＬＥＤ、ＬＣＤ（液晶表示装置）などで構成され、遊技者の持ち点を表示する。また、操作部３６には、例えば各種スイッチ（精算スイッチ、中断スイッチ、玉貸スイッチ、自動玉貸スイッチ、リプレースイッチ、カードデータスイッチ、呼出スイッチ）のうちの１つまたは複数が集約して設けられている。打球操作ハンドル３７は、図示しない打球発射装置に接続され、遊技者が打球操作ハンドル３７のハンドルリングを操作することによって、遊技領域に遊技球が発射される。
【００６０】
下部前面枠３Ｂには、持点表示部３５や打球操作ハンドル３７を避けたスペースである配置面３９に、表示用ユニット５０が配置される。下部前面枠３Ｂにおける表示用ユニット５０を配置するための配置面３９は、下部前面枠３Ｂの回動軸Ｒよりも後方に退避して（オフセットして）形成されている。また、配置面３９には、表示用ユニット５０を下部前面枠３Ｂに対して係止するための係止部（係止部材）３９ａが設けられている。なお、係止部３９ａは、左右に２組並んで設けられるものに限定されず、例えば１つだけ設けてもよい。
【００６１】
下部前面枠３Ｂは、本体枠１００の連結片１０４の下面に形成された図示しない軸孔に、上方を向いた軸ピン１０５が挿入されるとともに、本体枠１００の連結片１０２の軸ピン１０２ａが、図示しない軸孔に挿通されることにより、本体枠１００に回動可能に支持されている。
【００６２】
表示用ユニット５０は、アーム５１を介してカードユニット１０に取り付けられて、下部前面枠３Ｂの配置面３９に配置される。アーム５１は複数の回動軸（関節）を有し、表示用ユニット５０を自在に動かすことができる。そのため、表示用ユニット５０を容易に、配置面３９に配置することができる。表示用ユニット５０は、例えば、液晶表示装置で構成されており、多様の表示画面を遊技者に表示する。
【００６３】
次に、本実施形態における遊技機において、遊技球を循環させるための各種装置について説明する。図３は、本発明の実施形態に係る遊技機の本体枠を前方からみた斜視図であり、図４は、本発明の実施形態に係る遊技機の本体枠を後方からみた斜視図である。
【００６４】
図３に示すように、本体枠１００は、遊技盤２を保持するとともに、左上部に発射装置１４を有している。遊技球は発射装置１４の発射口１４ａから遊技盤２に向けて発射され、いずれの入賞口にも進入しなかった遊技球は、アウト口８から遊技盤２の後方に向けて流下する。
【００６５】
図４に示すように、本体枠１００の後方には、主制御基板１６と払出制御基板１７とが設けられている。主制御基板１６は、遊技盤２の後方に設けてあり、パチンコ遊技機１の遊技の進行制御を行なう。払出制御基板１７は、遊技盤２の後面を覆う裏カバー１８に設けられている。また、払出制御基板１７上には、メンテナンス時等に遊技球を外部に排出するための玉抜きスイッチ１９が設けられている。この玉抜きスイッチ１９を用いての玉抜き処理の詳細については後述する。裏カバー１８は４本の脚１８ａを有し、４本の脚１８ａのそれぞれが本体枠１００にボルト止めされている。これにより、払出制御基板１７が設けられた裏カバー１８は、本体枠１００の後面の一部を覆った状態で、本体枠１００に取り付けられる。
【００６６】
図５、６は、本発明の実施形態に係る遊技機の本体枠を後方からみた分解斜視図である。本体枠１００の後面には、さらに、電源装置２１、遊技球検出装置２７、研磨装置２３、及び揚送装置２５が配置されている。電源装置２１の右隣には、パチンコ遊技機１の電源スイッチ２１ａが設けられている。裏カバー１８の４本の脚１８ａは、裏カバー１８が本体枠１００の後方に取り付けられたとしても電源スイッチ２１ａが操作できるように、十分な高さが確保されている。
【００６７】
遊技球検出装置２７は、後述するように、アウト口８、あるいは入賞口に進入した遊技球を研磨装置２３に導く装置であり、循環路の一部を構成する。研磨装置２３は、後述するように、循環路の一部を構成する搬送スクリュ７２（図１３、１４）を有する。研磨装置２３は、搬送スクリュ７２（図１３、１４）で遊技球を玉揚送装置２５に向けて搬送するとともに、遊技球を研磨する。玉揚送装置２５は、遊技玉をパチンコ遊技機１の上方へ搬送（揚送）する装置であり、循環路の一部を構成する。また、本体枠１００の上部に配置され、遊技球を遊技盤２の遊技領域へ向けて発射する発射装置１４も、循環路の一部を構成する。このように本実施の形態における遊技球の循環路とは、基本的に、遊技球検出装置２７と研磨装置２３と玉揚送装置２５と発射装置１４とを含み、パチンコ遊技機１内を一周して、もとの位置（たとえば発射装置１４の発射位置）に戻るように構成された経路である。なお、上記の各部材に加え、さらに遊技盤２の遊技領域を含めて循環路と考えてもよい。なお、本体枠１００は、例えば、図５に記載の部材を全て含むものの総称であってもよいし、図５に記載のものから、例えば、遊技盤２、電源装置２１及び玉揚送装置２５を除いたものの総称であってもよい。あるいは、本体枠１００は、例えば、枠体１００ａと、遊技球が流れる流路と、この流路上に設けられた磁石体１１４及び研磨入口センサ７０１（図１２）と、払出制御基板１７と、電源装置２１とを含むものであってもよい。
【００６８】
次に、循環路を構成する各装置の詳細について説明しながら、遊技球がパチンコ遊技機１内を循環する経路について説明する。本発明の実施形態に係るパチンコ遊技機１において、遊技盤２の遊技領域に向けて発射された遊技球は、入賞口あるいはアウト口８（図６）に進入し、遊技球検出装置２７に流下する。図７は、遊技球検出装置の斜視図であり、（ａ）は前方から見た図、（ｂ）は後方から見た図である。
【００６９】
遊技球検出装置２７は、検出装置本体２９と、検出装置本体２９の後面に取り付けられる保護カバー６８と、前面に取り付けられる押え板６９とを有している。検出装置本体２９の上部には、アウト口８（図６）に進入した遊技球を受け入れるアウト球受入部６６と、入賞口に進入した遊技球を受け入れる入賞球受入部６７とが形成されている。
【００７０】
図８は、本発明の実施形態に係る遊技機の遊技球検出装置を前方から見た分解斜視図、図９は、本発明の実施形態に係る遊技機の遊技球検出装置を後方から見た分解斜視図である。図８に示すように、検出装置本体２９には、第１傾斜路１１５に続く流路である、下方に向けられた鉛直路１２０が形成されているとともに、この鉛直路１２０に続く流路である第２傾斜路１１６が形成されている。押え板６９は、第１傾斜路１１５、鉛直路１２０、及び第２傾斜路１１６の側方を画定するために、検出装置本体２９の前面に取り付けられる。この押え板６９には、第２傾斜路１１６に続く流路である流下路６９ａが形成されている。また、検出装置本体２９には、流下路６９ａに続く流路である、遊技球を後方に導く流下路１１７が形成されている。さらに、図９に示すように、検出装置本体２９の前面には、流下路１１７に続く流路である第３傾斜路１２１が形成されている。なお、第３傾斜路１２１の終端部１２２には、後方にある排出口１１９に向けて直角に屈曲した流路を形成するため、流下した遊技球がぶつかる壁体が形成されている。
【００７１】
保護カバー６８は、検出装置本体２９の後面に設けられ、後述する切替スイッチ１１３を覆うとともに、第３傾斜路１２１の側方を画定する。また、保護カバー６８には、遊技球検出装置２７から遊技球を排出するための排出口１１９が設けられている。このように、アウト口８（図６）から進入した遊技球は、アウト球受入部６６に受け入れられ、第１傾斜路１１５、鉛直路１２０、第２傾斜路１１６、流下路６９ａ、流下路１１７、第３傾斜路１２１の順に流下していき、排出口１１９から遊技球検出装置２７の外部へ排出される。なお、鉛直路１２０には、アウト口８（図６）を進入した遊技球を検出するアウト球検出センサ８８が設けられている。このアウト球検出センサ８８は、磁性体及び非磁性体を共に検出するスイッチである、例えば、アウト球検出センサ８８は、フォトセンサやマイクロスイッチから構成される。アウト球検出センサ８８が、磁性体あるいは非磁性体からなる遊技球を検出すると、その検出信号が払出制御部１７１へ入力される。
【００７２】
これに対して、入賞口に進入した遊技球は、図示しない傾斜路を流下する。そして、傾斜路は方向を変えながら、図８に示す合流点１１８において、第２傾斜路１１６に合流する。合流点１１８より下流における入賞球の流れは、アウト口８（図６）に進入した遊技球の流れと同様である。なお、図９に示すように、遊技球検出装置２７は、入賞口に進入した遊技球を検出する入賞球検出センサ１１０を備えている。この入賞玉検出センサ１１０は、合流点（図８）よりも上流に設けられている。入賞球検出センサ１１０は、磁性体及び非磁性体を共に検出するスイッチである。例えば、入賞球検出センサ１１０は、フォトセンサやマイクロスイッチから構成される。入賞球検出センサ１１０が、磁性体あるいは非磁性体からなる遊技球を検出すると、その検出信号が払出制御部１７１へ入力される。
【００７３】
また、遊技球検出装置２７は、パチンコ遊技機１内の循環路に混入した磁性体を吸着して、遊技球の流路を吸着した磁性体で塞ぐ吸着手段を備えている。図９に示すように、遊技球検出装置２７の後面には、回動軸１１２を中心に回動可能な切替スイッチ１１３が設けられている。切替スイッチ１１３は、操作レバー１１３ａと、磁石体保持部１１３ｂとから構成されている。磁石体保持部１１３ｂは、直方体状の永久磁石からなる磁石体１１４を保持している。なお、切替スイッチ１１３を後方からみると、保護カバー６８により覆われた状態となっているが、保護カバー６８の上方から指を入れて切替スイッチ１１３を回動させることができるスペースが確保されている。
【００７４】
なお、図９に示す切替スイッチ１１３の取付状態は、磁石体保持部１１３ｂがストッパ１２３に当接した状態であり、保持する磁石体１１４と流下する遊技媒体との間隔が十分に確保された状態にある。そのため、流下する磁性体は磁石体１１４に吸着されることはない。すなわち、図９に示す切替スイッチ１１３の取付状態は、流下する遊技媒体を吸着することが不可能な状態といえる。
【００７５】
図９に示す切替スイッチ１１３の状態から、図１０（ａ）に示すように、磁石体１１４が下方を向くように、操作レバー１１３ａに指を掛け、回動軸１１２を中心に切替スイッチ１１３を回動させる。図１０は、本発明の実施形態に係る遊技機の遊技球検出装置に磁性体が吸着され塞き止められた様子を示した分解斜視図であり、（ａ）は後方から見た図、（ｂ）は前方から見た図である。
【００７６】
図１０（ａ）に示す状態においては、磁石体１１４は第３傾斜路１２１に隣接した位置に配され、図９に示す場合に比べ、流下する遊技媒体に近い。また、磁石体１１４は、第３傾斜路１２１の終端部１２２に隣接している。第３傾斜路１２１を流下する遊技球は、一旦、終端部１２２に形成された壁体にぶつかり、その後、右側に流下方向を変えて排出口１１９から排出される。このように、遊技球が終端部１１２の壁体に衝突するため、遊技球の流下速度は第３傾斜路１２１の終端部１２２で遅くなる。そのため、図１０（ａ）に示すように、混入した磁性体からなる遊技球１２ａは、磁石体１１４に吸着される。このように吸着された磁性体からなる遊技球１２ａは、遊技球の流路（循環路）を塞ぐ。そのため、後続の非磁性体の遊技球１２は塞き止められ、図１０（ａ）、（ｂ）に示すように、上流に連なっていくことになる。
【００７７】
一般に、封入式パチンコ遊技機には、５０個程度の遊技球が封入されている。図１０においては、例えば、封入された５０個全ての遊技媒体１２が、上流に連なった様子を示している。図１０（ａ）、（ｂ）に示すように、本実施形態に係るパチンコ遊技機においては、封入された全ての遊技球が塞き止められて上流に連なったとしても、遊技球検出装置２７内に収まるように、遊技球検出装置２７の内部には十分な長さの流路が確保されている。なお、遊技球検出装置２７には、遊技球１２を搬送するための駆動源は存在しない。そのため、このように磁性体からなる遊技球１２ａが塞き止められて後続の遊技球１２が上流に連なったとしても、遊技球が駆動源に接触することはない。
【００７８】
このように、本実施形態に係るパチンコ遊技機１においては、磁石体１１４が流路（循環路）に近接する位置となるように切替スイッチ１１３を回動させることで、非磁性体の遊技球１２の中に混入した磁性体からなる遊技球１２ａは、磁石体１１４に吸着される。これにより、パチンコ遊技機１内の遊技球の循環がストップする。
【００７９】
遊技球検出装置２７から排出された遊技球は、遊技球検出装置２７の下方に位置する研磨装置２３に進入する。図１１は、本発明の実施形態に係る遊技機の研磨装置の斜視図であり、（ａ）は前方から見た図、（ｂ）は後方から見た図である。また、図１２は、本発明の実施形態に係る遊技機の研磨装置を前方から見た分解斜視図である。研磨装置２３は、研磨モータ７１と、搬送スクリュ７２と、研磨カセット７３と、カセットモータ７４とを主に有している。研磨モータ７１は、研磨装置（搬送スクリュ７２）２３を駆動させて研磨装置２３における遊技球を搬送するためのモータであり、搬送スクリュ７２などの後方に配置される。搬送スクリュ７２は前述したように、循環しながら研磨される遊技球を搬送する。
【００８０】
研磨カセット７３は、研磨部材が収納されたカセットである。なお研磨部材は、図１１（ａ）おいて、研磨カセット７３の後ろ側に配置されるため図示されないが、遊技球の表面を研磨するものである。研磨部材はたとえばバフ本体部と、バフ本体部の表面を覆う表面メッシュ部とを有している。バフ本体部は、たとえばスポンジなどの多孔質部材から形成される帯状の部材であるが、スポンジに限られず、たとえば玉の表面を研磨することにより玉の表面から取り除いた汚れなどを内部に取り込むことが可能な任意の材質を用いることができる。表面メッシュ部は、たとえばメッシュ状のネットがバフ本体部の外表面を覆うように配置されたものである。つまり表面メッシュ部が多数の孔を有することにより、たとえば玉の表面を研磨することにより玉の表面から取り除いた汚れなどを、表面メッシュ部を透過させてバフ本体部の内部へ取り込むことができる。
【００８１】
なお、バフ本体部は、必ずしも表面メッシュ部に覆われていなくてもよく、たとえばバフ本体部のみを有する構成であってもよい。この場合においても、一例として、紙のような部材からなるバフ本体部が用いられてもよい。
【００８２】
カセットモータ７４は、これに設けられた図示されないモータギアの回転により、これと連結された研磨部材を、たとえば研磨カセット７３内を循環するように移動させるモータである。より具体的には、前述した払出制御基板１７によりカセットモータ７４が駆動すると、上記モータギアが回転し、研磨部材が移動する。
【００８３】
ここで、図１２の搬送スクリュ７２は、これにより搬送される遊技球の下流側の方が上流側よりも上側に設けられるように傾いた態様で設置されている。研磨部材がほぼ水平に設置されているのに対して、搬送スクリュ７２が斜めに設置されるため、搬送スクリュ７２に沿って流れながら研磨される遊技球により、研磨部材（表面メッシュ部）の汚れは図１２の上下方向の幅のほぼ全体に及ぶことになる。このため、表面メッシュ部のより広範囲を利用した研磨を高効率に行うことができる。仮に搬送スクリュ７２が研磨部材（表面メッシュ部）と同様に水平方向に沿って流れれば、遊技球も水平方向に流れながら研磨されるため、研磨部材（表面メッシュ部）は図１２の上下方向に関する一部のみが汚れ、一部の領域は全く汚れないまま交換されることになり、表面メッシュ部の利用効率が低下する。ただし搬送スクリュ７２は、パチンコ遊技機１に対して水平に設置されてもよい。
【００８４】
研磨部材（表面メッシュ部）の特に研磨を行なう場所の移動や、研磨を行なう表面の切り替えなどは、常時少しずつ行なわれる構成であってもよい。ただし上記移動または切り替えなどは、たとえば一定時間経過後または一定個数の研磨後に一時に行なわれる構成であってもよい。
【００８５】
図１３は、本発明の実施形態に係る遊技機の研磨装置を後方から見た分解斜視図である。図１３においては、遊技球の経路が認識できるように、搬送スクリュ７２を、研磨装置２３のケース２３ａから分離して示している。
【００８６】
遊技球検出装置２７から排出された遊技球は、遊技球進入口７０２から研磨装置２３に進入し、搬送スクリュ７２の研磨開始端部７８に進入する。ここで研磨カセット７３が搬送スクリュ７２の前面に対向するようにセットされた状態で搬送スクリュ７２の研磨開始端部７８に遊技球が進入すると、該遊技球は研磨開始端部７８と、研磨カセット７３内の研磨部材とに挟まれるように設置される。このように研磨装置２３に進入した遊技球は、研磨入口センサ７０１により検知され、後述する第１充満検出センサ７５が玉の充満状態を検出していないことを条件として研磨モータ７１が駆動を始める。研磨入口センサ７０１は、磁性体及び非磁性体をともに検出するスイッチである。例えば、研磨入口センサ７０１は、フォトセンサやマイクロスイッチから構成される。研磨モータ７１の駆動は、前述した払出制御基板１７により制御される。研磨モータ７１が駆動すると、研磨モータ７１に備えられたモータギアが回転することにより、モータギアと連結するギアに固定された搬送スクリュ７２が回転駆動を始める。また特に常時移動等を行なう研磨部材を用いる場合には、前述したように研磨部材も駆動を始める場合もある。
【００８７】
搬送スクリュ７２の回転駆動により、これに接触する遊技球は、搬送スクリュ７２の（研磨開始端部７８に対する他方の）端部である研磨終了端部７９の方へ搬送されながら、その表面が研磨部材により研磨され、表面の汚れが除去される。
【００８８】
研磨装置２３（ここでは研磨終了端部７９）の近傍には、第１充満検出センサ７５が配置されている。第１充満検出センサ７５は、例えば図１５に示すように玉揚送装置の進入口にあるセンサである。第１充満検出センサ７５は、遊技球が充満したことを検出するセンサであり、第１充満検出センサ７５は、遊技の開始により玉揚送装置２５に遊技球が投入され始めたことを検出するセンサとしての機能も兼用している。すなわち、第１充満検出センサ７５は、第１充満検出センサ７５の領域に遊技球が入り始めたことを検出して、後述する第２充満検出センサ４０が遊技球の充満状態を検出していないことを条件として玉揚送装置２５の駆動を始める機能と、遊技球が充満したことを検出して研磨モータ７１の駆動を停止しそれ以上の遊技球が研磨装置２３の下流側に送られない状態とさせる機能とを兼用している。
【００８９】
すなわち、研磨モータ７１が駆動を始めてから、第１充満検出センサ７５が遊技球が充満したことを検出するまでの間は（検出していない間は）、研磨モータ７１および研磨スクリュ７２の駆動により遊技球が研磨開始端部７８から研磨終了端部７９の方へ移動する。第１充満検出センサ７５が、遊技球が充満したことを検出したときに研磨モータ７１の駆動を停止するための停止手段が備えられている。また第１充満検出センサ７５が遊技球の投入を検知すれば、循環路を構成する玉揚送装置２５の揚送モータ９３が駆動し始め、循環路が遊技球を玉揚送装置２５の方へ移送可能な状態となる。
【００９０】
なお、第１充満検出センサ７５の上記機能の兼用は、単なる一例にすぎず、それぞれの機能に応じて別々のセンサを設けてもよい。
【００９１】
玉抜き路７６は、たとえばメンテナンス時など循環路の内部に配置される遊技球をパチンコ遊技機１の外部へ排出させるための排出口である。したがって、パチンコ遊技機１を、メンテナンスモード（玉抜き可能状態）に設定した上で玉抜き路７６から遊技球を排出する動作がなされる
【００９２】
玉抜き操作スイッチ９０は、遊技球の流れを、玉揚送装置２５に遊技球を導く循環路９１とするか、あるいは遊技球を外部に排出するための玉抜き路７６とするかを切り替えるためのスイッチである。玉抜き操作スイッチ９０は、玉抜きレバー９０ａと、玉抜きレバー９０ａに取り付けられた切替片９０ｂとを有している。玉抜きレバー９０ａを指で引っ掛け、回動軸Ｒを中心に回動させることで、切替片９０ｂも回動軸Ｒを中心に回動させることができる。
【００９３】
図１３に示す玉抜き操作スイッチ９０は、切替片９０ｂがストッパ１２４ｂに当接して、循環路９１を開放するとともに、玉抜き路７６を塞いだ状態にある。そのため、搬送スクリュ７２により研磨終了端部７９にまで搬送された遊技球は、循環路９１を通り玉揚送装置２５へ導かれる。
【００９４】
図１３に示す玉抜き操作スイッチ９０の状態から、玉抜きレバー９０ａを指で引っ掛けて時計回りにさせる。すると切替片９０ｂは、玉抜きレバー９０ａとともに回動し、図１４に示すように、ストッパ１２４ａに当接した状態となる。この状態は、切替片９０ｂが、循環路９１を塞ぐとともに、玉抜き路７６を開放した状態といえる。これにより、搬送スクリュ７２により研磨終了端部７９にまで搬送された遊技球は、玉抜き路７６を通り、研磨装置２３の外部へ排出される。
【００９５】
本実施形態に係るパチンコ遊技機１においては、流下する遊技球の流路を、遊技球の循環路に導く循環路９１とするか、パチンコ遊技機１の外部へ排出するための排出路７６とするかの切り替えを、玉抜き操作スイッチ９０を操作することにより選択することが可能である。
【００９６】
研磨装置２３の循環路９１を通過した遊技球は、研磨装置２３の右方にある玉揚送装置２５に進入する。図１５は、本発明の実施形態に係るパチンコ遊技機の玉揚送装置を後方から見た斜視図である。玉揚送装置２５は、揚送玉入口９２と、揚送モータ９３と、揚送スクリュ９４と、揚送装置カバー９５と、揚送玉出口９６とを主に有している。揚送玉入口９２から玉揚送装置２５内に入った遊技球は、揚送スクリュ９４と揚送カバー９５との間に挟まれるように設置される。センサが感知することにより、前述した研磨モータ７１、搬送スクリュ７２およびカセットモータ７４と同様の要領で、揚送モータ９３、揚送スクリュ９４が駆動し始める。すると揚送スクリュ９４に接触する遊技球は揚送スクリュ９４に沿って上方へ移送され、揚送玉出口９６から玉揚送装置２５の外へ出る。
【００９７】
図１６〜図１９は、発射装置のみの構成をより詳細に示しており、これらの図を参照しながら、発射装置の構成を説明する。発射装置１４は、ファール玉検出スイッチ３３と、発射ソレノイド４１と、打球ハンマ４２と、発射位置４３と、玉通路４４と、発射玉入口４６と、玉送りソレノイド４７と、リンク４８と、支点４９とを主に有している。また発射装置１４の近傍（背面側）には第２充満検出センサ４０を有している。第２充満検出センサ４０は、循環路の一部（特に図１７〜図１９において第２充満検出センサ４０が配置される、玉揚送装置２５の下流側）に配置される遊技球が充満したことを検出するセンサであり、第２充満検出センサ４０は、遊技の開始により発射装置１４に遊技球が投入し始めたことを検出するセンサとしての機能も兼用している。すなわち第２充満検出センサ４０は、第２充満検出センサ４０の領域に遊技球が入り始めたことを検出して発射装置１４（玉送りソレノイド４７）の駆動を始める機能と、遊技球が充満したことを検出して揚送モータ９３の駆動を停止しそれ以上の遊技球が玉揚送装置２５の下流側に送られない状態とさせる機能とを兼用している。
【００９８】
逆にいえば、揚送モータ９３が駆動を始めてから、第２充満検出センサ４０が玉揚送装置２５において遊技球が充満したことを検出するまでの間は（検出していない間は）、揚送モータ９３の駆動により遊技球が玉揚送装置２５を上方へ移動する。
【００９９】
なお、第２充満検出センサ４０の上記機能の兼用は、単なる一例にすぎず、それぞれの機能に応じて別々のセンサを設けてもよい。
【０１００】
さらに、研磨モータ７１と揚送モータ９３の駆動制御は、それぞれにおける玉移動上流側のセンサ（研磨入口センサ７０１、第１充満センサ７５）による玉の検出の有無にかかわらず、ぞれにおける玉移動下流側のセンサ（第１充満センサ７５、第２充満センサ４０）で玉の充満状態が検出されなくなったときに駆動開始させるように制御してもよい。
【０１０１】
第２充満検出センサ４０が、遊技球が充満したことを検出すれば、揚送モータ９３の駆動が停止して、それ以上の遊技球が玉揚送装置２５の移動下流側に送られない状態となる。すなわち、第２充満検出センサ４０が、遊技球が充満したことを検出したときに揚送モータ９３の駆動を停止するための停止手段が備えられている。また第２充満検出センサ４０が遊技球の投入を検知すれば、循環路が遊技球を発射装置１４の方へ移送可能な状態となる。
【０１０２】
発射位置４３は発射玉入口４６に対し、遊技球が発射されるために発射装置１４から出る出口に相当する。玉通路４４は発射玉入口４６から発射位置４３まで発射装置１４の内部を通る遊技球通路である。
【０１０３】
玉送りソレノイド４７は、玉通路４４の遊技球を、発射位置４３に向けて搬送させるためのソレノイドである。またリンク４８および支点４９は、玉通路４４の遊技球の搬送を制御する、たとえば研磨装置２３における搬送スクリュ７２と、同様の機能を有する部材である。具体的には、玉送りソレノイド４７が払出制御基板１７により駆動を始めると、玉送りソレノイド（ソレノイドコイル）４７の励磁によりリンク４８が玉送りソレノイド４７に吸引される。その結果、リンク４８は支点４９を中心として回転する。リンク４８は、ソレノイド４７に吸引されていない状態では、図１７に示すように、後続の遊技球の流化をストップさせているが、玉送りソレノイド４７に吸引されると、リンク４８が上方へ揺動し遊技球の流下が許容され、遊技球が１個だけ玉通路４４の下流側に向けて搬送される。なおリンク４８は、遊技球と接する部位が吸引されると、当該部位に上流側の遊技球が１個入り込む態様となっており、ソレノイド４７の励磁および励磁解除を繰り返すことにより、１個ずつ遊技球を送り出すように動作する。
【０１０４】
リンク４８の少し上流側には、発射球検出スイッチ９９が設けられている。リンク４８の揺動により遊技球が１個送り出されることにより、この発射球検出スイッチ９９が一瞬球非検出状態となり、その検出信号が払出制御部１７１に入力されて玉が１個発射されたと判断する。
【０１０５】
発射ソレノイド４１は遊技球を発射位置４３から、遊技盤２の遊技領域へ向けて発射するために駆動するソレノイドである。打球ハンマ４２は、遊技球を発射するために遊技球を打撃するハンマである。打球ハンマ４２は、回動軸５１とコイル吸引部５２とを有し、アーム状の部材であり、回動軸５１を中心としてアームが運動することにより遊技球に打撃力を与えて、これを遊技領域に向けて発射させる。具体的には、発射ソレノイド４１（ソレノイドコイル）が励磁されることにより、打球ハンマ４２は、回動軸５１を中心として、アームに形成されたコイル吸引部５２がソレノイドコイル内の励磁領域に吸引されたり、ソレノイドコイルの励磁解除によりばね（図示省略）の復元力で元の位置に復帰されたりの往復運動が起こり、この往復運動を利用して遊技球を発射させる。なお遊技球の発射の強度は、打球操作ハンドル３７の回動操作量により抵抗値が変化する可変抵抗などにより調整される。
【０１０６】
ファール玉検出スイッチ３３は、玉通路４４の経路の途中に設けられており、玉通路４４に遊技球が溜まって停滞している状態を検出するスイッチである。ファール玉検出スイッチ３３が、玉通路４４の経路の途中における遊技球が発射されずに停滞していることを検知すれば、遊技球が玉通路４４の移動下流に向けて搬送される送り動作が停止され、専ら発射位置４３から遊技領域へ遊技球を発射する動作が行なわれる。具体的にはたとえば、遊技球の発射動作が３回繰り返される（３個の遊技球が発射位置４３から発射される）間は、球送りソレノイド４７の励磁が停止されて遊技球の玉通路４４への流下がリンク４８により阻止され、もっぱら玉通路４４からの玉の排出（発射）のみが行なわれる。このようにして、玉通路４４に存在する遊技球が超過状態となることが抑制される。
【０１０７】
ここで、打球ハンマ４２の打球発射動作と玉送りソレノイド４７の発射位置４３への遊技球の搬送動作とは、各々独立して時間制御で行なっている。すなわち打球ハンマ４２が遊技球を発射する動作と玉送りソレノイド４７が発射位置４３へ向けて遊技球を搬送する動作とは、両者同じ速度（０.６秒で１個）となるように制御されている。
【０１０８】
ファール玉検出スイッチ３３が、たとえば発射位置４３により発射される遊技球の遊技領域における軌道（発射軌道）上（発射位置４３の近傍を含む）にあれば、該ファール玉検出スイッチ３３が発射された遊技球や打球ハンマ４２の衝撃を受けて破損する可能性がある。しかし本実施の形態のようにファール玉検出スイッチ３３は、発射位置４３により発射される遊技球の発射軌道上とは異なる箇所（玉通路４４）に設けられることになる。したがって遊技球の打球に起因する破損の発生を抑制することができる。
【０１０９】
本実施の形態における循環路内での玉の循環移動制御（具体的には後述のＳ１７による通常玉循環処理）においては、循環路における遊技球の上流ほど、遊技球の移動速度が速い。具体的には、たとえば、上述したパチンコ遊技機１の場合は、研磨装置２３において搬送スクリュ７２により遊技球が搬送される速度が最も速く、玉揚送装置２５において揚送スクリュ９４により搬送される速度がこれに次ぎ、玉通路４４において搬送される速度が最も遅い。
【０１１０】
このようにすれば、循環路の下流側の遊技球、特にリンク４８で流下を規制されている発射待機球は、後続する上流側の遊技球に追いつかれることになる。例えば、遊技中に同時に２個の遊戯球がリンク４８を通過して発射位置に供給されてしまう事態が生じたときには、その分発射待機玉が通常より１個少なくなるが、すぐに第２充満検出センサ４０により玉の充満が検出されなくなって揚送モータ９３が作動して通常の玉送り速度よりも早い速度で玉が揚送されてリンク４８にまで玉が供給されるために、発射待機玉の欠乏状態が解消され、適正な数の発射待機玉を維持できる。また、通常の玉送り速度よりも早い速度で玉が揚送されることによって第１充満検出センサ４０が玉の充満状態を検出しなくなれば研磨モータ７１が作動して通常の玉揚送速度よりも早い速度で玉が研磨されて送り出されるために、玉揚送装置２５入口部分での玉の欠乏状態が解消される。
【０１１１】
ただし、循環路の下流側における遊技球の充満が過度になることを抑制するために、第１充満検出センサ７５および第２充満検出センサ４０が遊技球の充満状態を検出したときには、停止手段（Ｓ２２、Ｓ２５）によりその上流側において隣接する装置を停止させる。このようにすれば、遊技球の過度の充満を防止することができる。
【０１１２】
図２０は、カードユニット１０とパチンコ遊技機１との構成を示すブロック図である。図２０を参照して、カードユニット１０とパチンコ遊技機１との制御回路の概略を説明する。
【０１１３】
カードユニット１０には、マイクロコンピュータ等から構成されたＣＵ制御部３２３が設けられている。このＣＵ制御部３２３は、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等が設けられている。
【０１１４】
ＣＵ制御部３２３には、ホール用管理コンピュータやセキュリティ上の管理を行なうホールサーバ（図示省略）と通信を行なうための外部通信部（図示略）が設けられているとともに、パチンコ遊技機１の払出制御基板１７とセキュリティを確保しながら通信を行なうためのセキュリティ基板３２５が設けられている。カードユニット１０にはパチンコ遊技機１側への接続部（図示略）が設けられており、パチンコ遊技機１にはカードユニット１０側への接続部（図示略）が設けられている。これら接続部は、たとえばコネクタ等で構成されている。
【０１１５】
ＣＵ側のセキュリティ基板３２５とＰ台側の払出制御基板１７とは、このコネクタと接続配線とを介して通信可能に接続される。セキュリティ基板３２５には、セキュリティ基板３２５と払出制御基板１７との通信を制御するための通信制御ＩＣ３２５ａと、パチンコ遊技機１のセキュリティを監視するためのセキュリティチップ（ＳＣ）３２５ｂが設けられている。さらに、ＳＣ３２５ｂは、不正検知部１３２５を備え、不正検知部１３２５がＣＵ制御部３２３からＰ台１に通知される遊技玉の加算要求情報を監視することにより不正検知を行ない、不正検知時に鍵管理サーバ（図示省略）に通知する。また、不正検知用の設定値（定数）は鍵管理サーバから基板制御情報として通知される。
【０１１６】
前述した貨幣識別器により紙幣の真贋および種類が識別されて、その識別結果信号がＣＵ制御部３２３に入力される。遊技場の係員が所持しているリモコンから発せられた赤外線をＩＲ感光ユニットが受光すれば、その受光信号がＣＵ制御部３２３に入力される。挿入されたカードの記録情報をカードリーダライタが読取って、その読取り情報がＣＵ制御部３２３に入力されるとともに、ＣＵ制御部３２３からカードリーダライタに対し、挿入されているカードに書込むデータが伝送されたときに、カードリーダライタはそのデータを挿入されているカードに書込む。
【０１１７】
ＣＵ制御部３２３は、遊技者が遊技している際、遊技者の持玉を管理・記憶する。ＣＵ制御部３２３から残高あるいは遊技玉数等のデータが表示制御部３５０に出力され、表示制御部３５０で表示用データに変換される。表示器３１２に対し、表示制御部３５０で変換した表示用データが出力され、その出力された表示用データを表示器３１２が表示する。また、表示器３１２の表面に設けられているタッチパネルを遊技者が操作すれば、その操作信号が表示制御部３５０を介してＣＵ制御部３２３に入力される。遊技者が玉貸ボタン３８aを操作することにより、その操作信号がＣＵ制御部３２３に入力される。なお、玉貸ボタン３８aは、ＣＵ１０に設ける構成に限定されるものではなく、Ｐ台１に設けて操作信号をＣＵ制御部３２３に入力する構成であっても良い。遊技者が再プレイボタン３８ｃを操作することによりその操作信号がＣＵ制御部３２３に入力される。遊技者が返却ボタン３８ｂを操作することによりその操作信号がＣＵ制御部３２３に入力される。
【０１１８】
パチンコ遊技機１には、パチンコ遊技機１の遊技の進行制御を行なう主制御基板１６と、遊技玉を管理・記憶する払出制御基板１７と、払出制御基板１７の指令に基づいて発射ソレノイド４１を駆動制御する発射制御基板３１と、可変表示装置２７８とが備えられている。
【０１１９】
前述したように主制御基板１６は、遊技盤２に設けてある。主制御基板１６には主制御部１６１である遊技制御用マイクロコンピュータが搭載されている。遊技機制御用マイクロコンピュータは、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等が設けられている。主制御部１６１は、遊技盤２に設けられている入賞センサ１６２、および電波センサ１６３と接続してある。なお、遊技盤２には、さらに可変表示装置２７８等を制御する表示制御基板（演出制御基板）が設けられている。
【０１２０】
払出制御基板１７は、本体枠１００に設けてある。払出制御基板１７には、払出制御部１７１である払出制御用マイクロコンピュータが搭載されている。
【０１２１】
払出制御用マイクロコンピュータは、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等が設けられている。
【０１２２】
その他、払出制御基板１７には、玉抜きスイッチ１９が設けられている。玉抜きスイッチ１９とは、パチンコ遊技機１のメンテナンス等により、封入されたパチンコ遊技球を排出するためのスイッチである。その詳細については後述するが、玉抜きスイッチ１９の押下が、玉抜き処理を実行するための１つの条件となっている。この玉抜き処理が実行され、発射操作が検出されることにより、自動流下により排出できない遊技球を排出させるための（パチンコ遊技機１内にある）駆動源（具体的には研磨モータ７１、揚送モータ９３、玉送りソレノイド４７、発射ソレノイド４１）を自動的に作動する。
【０１２３】
また、払出制御基板１７に対し、発射玉検出スイッチ（図示略）、入賞球検出センサ１１０、アウト球検出センサ８８、研磨入口センサ７０１、ファール玉検出スイッチ３３、揚送モータ９３、研磨モータ７１、玉送りソレノイド４７、第１充満検出センサ７５、第２充満検出センサ４０、計数ボタン２８、電波センサ１７３が電気的に接続された状態で設けられている。この電波センサ１７３は、電波を不正に発信する不正行為を検知するためのものである。
【０１２４】
この電波センサ１７３の検出信号が払出制御基板１７の入力ポート（図示略）を介して払出制御部１７１へ入力される。
【０１２５】
ところが不正電波が発生すれば、いくら玉を発射しても遊技玉数が減算されない状態となる。このような電波による不正を電波センサ１７３により検知する。ここでは発射玉検出スイッチが電波による不正の対象となる虞がある。つまり、実際に発射された玉が回収されて発射玉検出スイッチで検出された場合には、発射玉と回収玉（アウト玉）との個数に齟齬が生じ、異常が検知されて「発射／ＯＵＴ不整合玉数」の不正検知情報がＰ台１からＣＵ１０へ送信されることになる。しかし、この発射玉検出スイッチにも不正電波を発信して検出不能状態にすることにより、上記「発射／ＯＵＴ不整合玉数」の不正検知情報がＰ台１からＣＵ１０へ送信されなくなる不都合が生じる。本実施の形態では、このような発射玉検出スイッチに対して発信される不正電波も、電波センサ１７３で検出するため、前述の不都合を防止し得る。
【０１２６】
また、玉送りソレノイド４７より少し上流側に、発射玉検出スイッチ９９が設けられており（図１７、図１８参照）、この発射玉検出スイッチ９９によって遊技球が１個通過検出されるごとに、払出制御部１７１が、遊技玉数を「１」減算する。具体的には、減算玉数カウンタを「１」加算更新するとともに、遊技玉数を「１」減算更新する。
【０１２７】
遊技玉数を「１」減算更新するその他の変形例として、ファール玉検出スイッチ３３を利用する方法もある。本来、ファール玉検出スイッチ３３は、後述するように、玉通路４４においてファール玉が充満した場合、その充満したファール玉を検出するのである。この場合には、ファール玉検出スイッチ３３は瞬間的なパルス信号ではなく継続した検出信号が出力されることになり、その継続した検出信号を受信した払出制御部１７１は玉通路４４にファール玉が充満していると判断して、後述する図２３（ｃ）のＳ３１によりＹＥＳの判断を行なうこととなる。一方、玉送りソレノイド４７が１回励磁されることにより１個の遊技球が玉通路４４を流下してその通過玉がファール玉検出スイッチ３３により検出されたときには瞬間的なパルス信号がファール玉検出スイッチ３３から出力される。その瞬間的なパルス信号を受信した払出制御部１７１は、減算玉数カウンタを「１」加算更新するとともに、遊技玉数を「１」加算更新するように制御してもよい。
【０１２８】
このように、ファール玉検出スイッチ３３を、遊技玉数を減算するために玉通路４４を通過する遊技球を検出するとともに玉通路４４を充満したファール玉を検出するように構成して両者を検出する兼用のスイッチとして構成してもよい。
【０１２９】
主制御基板１６から払出制御基板１７に対し、主制御チップＩＤ、入賞口情報、ラウンド情報、接続確認信号、入賞検出信号、始動入賞口入賞情報、エラー情報、図柄確定回数、大当り情報、メーカ固有大当りの情報が送信される。
【０１３０】
主制御チップＩＤ（メインチップＩＤとも言う）は、パチンコ遊技機１の主制御基板１６に記録されているチップＩＤのことであり、パチンコ遊技機１の電源投入時に払出制御基板１７に対して送信される情報である。入賞口情報は、入賞口の種類（始動入賞口、普通入賞口、大入賞口）と、賞球数（入賞口に遊技玉が入ったときの払出玉数）とを含む情報であり、パチンコ遊技機１の電源投入時に払出制御基板１７に対して送信される。ラウンド情報は、大当りしたときのラウンド数の情報であり、パチンコ遊技機１の電源投入時に払出制御基板１７に対して送信される。
【０１３１】
接続確認信号は、主制御基板１６と払出制御基板１７とが接続されていることを確認するための信号であり、主制御基板１６から払出制御基板１７へ所定の電圧の信号が常時供給されており、払出制御基板１７がその所定電圧信号を受信していることを条件として払出制御基板１７が動作制御するように構成されている。入賞検出信号は、始動入賞口以外の入賞口に入賞した遊技球の検出信号である。この検出信号を受けた払出制御基板１７は、その入賞玉１個に対して付与すべき玉数を、遊技玉数と加算玉数とに加算する制御を行なう。このことに関しては後に詳しく説明する。
【０１３２】
始動入賞口入賞情報とは、始動入賞口１または始動入賞口２のいずれかに遊技球が入賞したことを示す情報である。エラー情報とは、主制御基板１６が遊技制御を行なっている最中にエラーが発生した場合にその旨を払出制御基板１７へ通知するための情報である。
【０１３３】
図柄確定回数とは、各始動入賞口への入賞に対する可変表示装置の表示結果として確定した図柄の情報である。
【０１３４】
大当り情報とは、大当りが発生したことを示す情報であり、その内訳は、各メーカ共通の大当りを示す共通大当り情報とメーカ固有の大当りを示すメーカ固有大当り情報とがある。共通大当り情報は、たとえば１５ラウンド大当り等のように、各遊技機メーカが共通に採用している大当りであり、その大当りに伴って確変が発生する場合には確変情報を含み、その大当りに伴って時短状態（可変表示装置の可変表示時間を短縮する制御状態）が発生する場合にはその時短情報を含んでいる。メーカ固有大当りとは、たとえば突然確変（突確）のような、或る遊技機メーカのみが採用している大当り状態のことである。
【０１３５】
払出制御基板１７から主制御基板１６へ、ヘルスチェックコマンドと賞球個数受付コマンドとが送信される。ヘルスチェックコマンドとは、主制御基板１６が正常に動作しているか否かをチェックするためのコマンドである。賞球個数受付コマンドとは、加算玉数を受付けた旨を示すコマンドである。
【０１３６】
アウト口８から回収さたアウト玉は、アウト玉検出スイッチ８８（図８参照）により検出され、アウト玉検出信号が払出制御部１７１に入力される。また、入賞口から回収された入賞球は、入賞球検出センサ１１０により検出され、入賞球検出信号が払出制御部１７１に入力される。また、研磨入口センサ７０１は、通過する遊技球を検出し、遊技球検出信号が払出制御部１７１に入力される。
【０１３７】
カードユニット１０のセキュリティ基板３２５とパチンコ遊技機１の払出制御基板１７とが電気的に接続されており、セキュリティ基板３２５から払出制御基板１７へ、後述するように、リカバリ要求、リカバリ詳細要求、通信開始要求、通信終了要求、状態情報、カード挿入通知、カード返却通知、通信テスト要求の各種コマンドが送信される。
【０１３８】
リカバリ要求は、後述するように、パチンコ遊技機１に対してリカバリ情報の通知を要求するコマンドである。払出制御基板１７は、リカバリ要求を受けてパチンコ遊技機１のリカバリ情報をカードユニット１０に通知する。リカバリ詳細要求は、パチンコ遊技機１に対してリカバリ詳細情報の通知を要求するコマンドである。払出制御基板１７は、リカバリ詳細要求を受けてパチンコ遊技機１のリカバリ詳細情報をカードユニット１０に通知する。通信開始要求は、パチンコ遊技機１に対して通信開始を要求するコマンドである。払出制御基板１７は、通信開始要求を受けてカードユニット１０に対して通信開始を応答する。通信終了要求は、パチンコ遊技機１に対して通信終了を要求するコマンドである。払出制御基板１７は、通信終了要求を受けてカードユニット１０に対して通信終了を応答する。
【０１３９】
状態情報要求は、パチンコ遊技機１に対して状態情報の通知を要求するコマンドである。払出制御基板１７は、状態情報要求を受けてパチンコ遊技機１の状態情報をカードユニット１０に通知する。カード挿入通知は、パチンコ遊技機１に対してカード挿入されたことを通知するコマンドである。払出制御基板１７は、カード挿入通知を受けてカードユニット１０に対してカード挿入されたことの応答をする。カード返却通知は、パチンコ遊技機１に対してカード返却されたことを通知するコマンドである。払出制御基板１７は、カード返却通知を受けてカードユニット１０に対してカード返却されたことの応答をする。通信テスト要求は、パチンコ遊技機１に対してテストデータを通知するコマンドである。払出制御基板１７は、通信テスト要求を受けてカードユニット１０に対してテストデータを応答する。
【０１４０】
払出制御基板１７からセキュリティ基板３２５へ、リカバリ応答、リカバリ詳細応答、通信開始応答、通信終了応答、状態情報応答、カード挿入応答、カード返却応答、通信テスト応答の各種レスポンスが送信される。
【０１４１】
本体枠１００には、発射制御基板３１、発射ソレノイド４１が設けられている。発射制御基板３１は、遊技者が打球操作ハンドル３７に触れていることを検出するタッチリングの入力信号が入力されているときに発射ソレノイド励磁出力を発し、発射ソレノイド４１を駆動させる。
【０１４２】
払出制御基板１７から発射制御基板３１へ、発射制御信号と発射許可信号とが出力される。それを受けた発射制御基板３１は、発射ソレノイド４１を励磁するための信号を出力する。これにより、遊技球が遊技領域へ弾発発射される状態となる。
【０１４３】
本体枠１００には、表示用ユニット５０が設けられている。表示用ユニット５０は、カードユニット１０の表示制御部３５０からの表示データを受信し、表示画面を表示させる。なお、このように、本実施の形態では、Ｐ台側の表示用ユニット５０がＣＵ側で制御されるように構成されているが、これに代えて、Ｐ台側に表示用ユニット５０を表示制御するための表示制御用基板を設けてもよい。この場合、表示制御用基板は、払出制御部１７１の指令に基づいて表示用ユニット５０を表示制御する。なお、図２０では図示を省略しているが、アウト玉検出スイッチ８８の検出信号と発射玉検出スイッチ９９の検出信号とが払出制御部１７１へ入力される。
【０１４４】
次に、メンテナンス時等に、パチンコ遊技機１の内部に封入された遊技球を外部へ排出するためのモードについて説明する。図２１は、本発明の実施形態に係る遊技機の玉移動制御モード処理を示すフローチャートである。本発明の実施形態に係るパチンコ遊技機１においては、電源投入時に複数の条件を全て満たすことを条件に、遊技球を外部へ排出するための「玉抜き可能モード」へと移行する。これらの複数の条件とは、パチンコ遊技機１の電源投入時に、図２１のＳ１〜Ｓ４に示された条件であり、これらの条件の一つでも満たさなければ、「玉抜き可能モード」へ移行することはない。
【０１４５】
まず、パチンコ遊技機１の電源スイッチ２１ａ（図６）が操作され、電源が投入されると、遊技玉数が０であるか否か判定する（Ｓ１）。ここで「遊技玉数」とは、パチンコ遊技機１で発射可能な玉数のことであり、プリペイドカードの残高や貯玉（持玉）を引き落とすことにより発生した玉数や、遊技を行った結果遊技者所有となった玉数である。すなわち、遊技者が打球操作ハンドル３７（図１）を操作することにより発射することが可能な玉数のことである。また、「遊技玉数」は、「持点」と表現することもあるとし、「持点」の減点と引き換えに、発射装置１４から遊技球を遊技領域に発射する。なお、Ｓ１において、遊技玉数（持点）が０であるか否かを判定したが、その他の条件を判定するようにしてもよい。例えば、プリペイド機能を備えるビジターカードや、遊技用記録媒体である会員カードが、カードユニット１０（図１）に挿入されているか否かをＳ１において判定するようにしてもよい。これらのカードがカードユニット１０（図１）に未挿入の場合には、制御をＳ２に進める。また、ビジターカードや会員カードに、遊技者所有の遊技価値（例えばカード残高、持玉数、あるいは貯玉数等）が存在するか否かをＳ１において判定するようにしてもよい。遊技者所有の遊技価値が存在しないと判定した場合には、制御をＳ２に進める。また、Ｓ１において、持ち玉数が０であるか否か、ビジターカード等の挿入があるか否か、及びビジターカード等に遊技価値が存在するか否かのうち複数の判定を実行するようにしてもよい。
【０１４６】
遊技玉数（持点）が０であると（Ｓ１：Ｙｅｓ）、次に、玉抜きスイッチ１９（図４、５）の操作があるか否かを判定する（Ｓ２）。玉抜きスイッチ１９は、図４に示すように、払出制御基板１７上に設けられている。そのため、玉抜きスイッチ１９を操作するためには、電源スイッチ２１ａを操作するのと同様に、本体枠１００を回動させて、本体枠１００の後面に触れられるようにしておく必要がある。すなわち、本体枠１００が、外枠６０に対して開放したときに、玉抜きスイッチ１９を操作することが可能である。
【０１４７】
玉抜きスイッチ１９の操作があると（Ｓ２：Ｙｅｓ）、次に、透明カバー１１（図２）が遊技盤２（図２）を閉鎖した状態にあるか否かを判定する（Ｓ３）。Ｓ３の判定は、図２に示す、透明カバー１１が取り付けられた上部前面枠３Ａと、本体枠１００との開閉状態を検知するセンサで行われる。ここで、上部前面枠３Ａが本体枠１００に対して閉じた状態にあるとは、上部前面枠３Ａと本体枠１００とが密着した状態にあることをいう。このような状態の場合、透明カバー１１は遊技盤２を閉鎖した状態にあり、遊技盤２上を流下する遊技球が外部へ飛び出すことがない。これに対し、上部前面枠３Ａが本体枠１００に対して開いた状態にあるとは、閉じた状態から上部前面枠３Ａが回動し、本体枠１００から離れた状態をいう。上部前面枠３Ａと本体枠１００との開閉状態を検知するセンサとしては、本体枠１００及び上部前面枠３Ａの一方に設けられた検出片を、他方に設けられた近接センサで検知するセンサであってもよい。
【０１４８】
透明カバー１１が閉鎖した状態にあると（Ｓ３：Ｙｅｓ）、次に、本体枠１００（図２）が開放した状態にあるか否かを判定する（Ｓ４）。Ｓ４判定は、図２に示す本体枠１００と、外枠６０との開閉状態を検知するセンサで行われる。ここで、本体枠１００が外枠６０に対して閉じた状態にあるとは、本体枠１００と外枠６０とが密着した状態にあることをいう。これに対し、本体枠１００が外枠６０に対して開いた状態にあるとは、閉じた状態から本体枠１００が回動し、外枠６０から離れた状態をいう。本体枠１００と外枠６０との開閉状態を検知するセンサとしては、本体枠１００及び外枠６０の一方に設けられた検出片を、他方に設けられた近接センサで検知するセンサであってもよい。
【０１４９】
本体枠１００が開放した状態にあると（Ｓ４：Ｙｅｓ）、玉移動制御モードフラグを「２」に設定する（Ｓ５）。一方、Ｓ１〜Ｓ４のうち、１つでもＮｏの判定があった場合には、玉移動制御モードフラグを「１」に設定する（Ｓ６）。
【０１５０】
このように、Ｓ１〜Ｓ４の全てにＹｅｓと判定された場合のみ、玉移動制御モードフラグを「２」に設定する。このように玉移動制御モードフラグが「２」に設定されると、後述するように、「玉抜き可能モード」に移行し、玉抜き処理が実行される。
【０１５１】
Ｓ１において、遊技玉数（持点）＝０の場合を、玉抜き処理を実行するための条件としている理由として、遊技玉数を保有している状態で玉抜きが許容されると、遊技中に遊技ができない状態となる恐れがあるからである。このように、遊技玉数＝０の場合を条件に玉抜きを許容することにより、遊技中における玉抜きが行われることを防止できる。
【０１５２】
また、Ｓ２において、玉抜き操作ボタン１９が操作されている場合を、玉抜き処理を実行するための条件としている理由として、玉抜き処理を実行しようとする明確な意図を確認するためである。これにより、遊技中での玉抜き処理が防止できるとともに、遊技球の排出を必要としないようなメンテナンスを実施する際に、遊技球が排出されてしまうという不具合を防止することができる。
【０１５３】
また、Ｓ３において、透明カバー１１が閉鎖されている場合を、玉抜き処理を実行するための条件としている理由として、発射装置１４から発射された遊技球が、透明カバーと遊技盤２との隙間から飛び出すことを防止するためである。これにより、全ての遊技球を玉抜き路７６から排出することができる。
【０１５４】
また、Ｓ４において、本体枠１００が開放されている場合を、玉抜き処理を実行する条件としている理由として、本体枠１００が開放されている場合には、遊技がされていないため、遊技者に不測の不利益を与えることがないからである。また、本体枠１００は施錠されているため、遊技者が本体枠１００を開放することができない。これにより、遊技者が玉抜きをしてしまうことを防止することができる。
【０１５５】
次に、以上に述べた構成を有するパチンコ遊技機１の駆動時における一連の玉移動制御処理の流れについて、詳細に説明する。図２２は、本発明の実施形態に係る遊技機の玉移動制御処理を示すフローチャートである。図２２に示すように、まず、玉移動制御モードフラグが「１」であるか判定する（Ｓ７）。上述したように、玉移動制御モードフラグが「１」の場合は、玉抜き処理を実行しない場合である。
【０１５６】
玉移動制御モードフラグが「１」である場合（Ｓ７：Ｙｅｓ）、遊技球がパチンコ遊技機１（循環路）の内部を移動（循環）する処理は、玉補給処理（Ｓ８）、通常時玉循環処理（Ｓ９）、玉送り処理（Ｓ１０）および異常検知処理（Ｓ１１）が周期的に行なわれることによりなされる。ここで上記Ｓ７からＳ１１まで１通り行なう所要時間はたとえば２ｍｓｅｃである。
【０１５７】
図２３（ａ）は図２２に示す玉補給処理の詳細を示すフローチャート、図２３（ｂ）は図２２に示す通常時玉循環処理の詳細を示すフローチャート、図２３（ｃ）は図２２に示す玉送り処理の詳細を示すフローチャートである。
【０１５８】
図２３（ａ）に示すように、Ｓ１５で循環路における貯留玉の有無が判別される。貯留玉が循環路に入っていない（Ｓ１５のＹＥＳ）ことは、たとえば第１充満検出センサ７５および第２充満検出センサ４０のいずれもに遊技球が入っていないことを検出することにより判断することができる。
【０１５９】
アウト口８から循環路内に遊技球を投入してその遊技球がアウト球検出センサ８８に検出されれば、Ｓ１５によりＮＯの判断がなされて、Ｓ１６に制御が進む。すなわち貯留玉が循環路に全く入っていない（Ｓ１５におけるＹＥＳの）状態から、補給された遊技球が研磨入口センサ７０１で検出されることにより、循環路における遊技球の投入が始まったことが認識され、制御がＳ１７に進み、通常の玉循環処理が行なわれる。このＳ１６でＹＥＳの判定がなされるのは、遊技場の係員が玉補給をするべく遊技球をアウト口８から投入したときである。これに対してアウト球検出センサ８８が遊技球を検出しない場合（Ｓ１６のＮＯ）には、通常時玉循環処理を行なうことなくすぐに該サブルーチンプログラムが終了する。
【０１６０】
このＳ１７の通常時玉循環処理により、たとえばアウト口８から投入された遊技球が循環路内を循環搬送されてリンク４８の手前まで供給された状態となる。
【０１６１】
以上の図２３（ａ）の説明は、アウト球検出センサ８８が遊技球を検出することにより循環路における遊技球の循環が開始する仕様のパチンコ遊技機１に適用されるプログラムであり、たとえば前述したような、第１充満検出センサ７５、第２充満検出センサ４０のいずれもが遊技球を検出しない状態であってもパチンコ遊技機１の電源が投入されさえすれば研磨モータ７１と揚送モータ９３とが駆動開始する場合には、Ｓ１５とＳ１６とのステップは不要となる。
【０１６２】
なお、玉補給を行なう場合に、前述のアウト口８から玉を投入する代わりに、たとえば遊技領域に設けられた入賞口から玉を投入するようにしてもよい。この場合は、入賞球検出センサ１１０で投入された遊技球を検出すればよい。
【０１６３】
図２３（ｂ）を参照して、Ｓ２０で第１充満検出センサ７５がＯＮか否かを判別する。図１５に示される第１充満検出センサ７５は前述したように、研磨装置２３から玉揚送装置２５に向けて送られる遊技球が、研磨装置２３と玉揚送装置２５とを橋渡しする領域の近傍において充満したときにＯＮになる（Ｓ２０のＹＥＳ）。ここでの充満とは、図２３（ａ）（図２２のＳ８）に示す玉補給処理により、循環装置における遊技球の補充が進んだときに発生する。具体的には、遊技球の通過の検出時に第１充満検出センサ７５から出力される瞬間的なパルス信号ではなく、遊技球が第１充満検出センサ７５の検出箇所に留まり所定時間（たとえば１秒間）継続して玉検出信号が出力される状態となったときにＳ１５によりＹＥＳと判定される。後述するＳ２３によるＹＥＳの判定とＳ３１によるＹＥＳの判定も同様である。Ｓ２０によりＹＥＳと判定された結果、Ｓ２２に制御が進んで研磨モータ７１が停止する。このことにより研磨装置２３の下流側への遊技球の搬送が停止され、より下流側の遊技球が専ら移動するために、研磨装置２３の下流側における遊技球の充満が解消する方向に制御が進む。しかし、第１充満検出センサ７５が未だ遊技球の充満を検出しない場合には（Ｓ２０のＮＯ）、Ｓ２１に制御が進んで研磨モータ７１が駆動する（駆動を続ける）。
【０１６４】
次に、Ｓ２３で第２充満センサ４０がＯＮか否かを判別する。第２充満検出センサ４０は前述したように、玉揚送装置２５から発射装置１４に向けて送られる遊技球が、玉揚送装置２５と発射装置１４とを橋渡しする領域の近傍において充満したときにＯＮになる（Ｓ２３のＹＥＳ）。ここでの充満とは、図２３（ａ）（図２２（ａ）のＳ８）に示す玉補給処理により循環装置における遊技球の補充が進んだときに発生する。その結果、Ｓ２５に制御が進んで揚送モータ９３が停止する。このことにより玉揚送装置２５の下流側への遊技球の搬送が停止され、より下流側の遊技球が専ら移動するために、玉揚送装置２５の下流側における遊技球の充満が解消する方向に制御が進む。しかし第２充満検出センサ４０が未だ遊技球の充満を検出しない場合には（Ｓ２３のＮＯ）、Ｓ２４に制御が進んで揚送モータ９３が駆動する（駆動を続ける）。
【０１６５】
以上の図２３（ｂ）のサブルーチンプログラムにより、循環路において遊技球が充満されればその上流側からの搬送を（停止手段により）一旦停止して下流側の遊技球をより下流側に移送させることに専念し、下流側の遊技球の充満が解消されれば再度上流側から遊技球を送り出すというサイクルが繰り返される。
【０１６６】
なお、前述の玉補給処理においてＳ１７の通常玉循環処理が行なわれた後、玉送りソレノイド４７を１回励磁して１個の玉だけ発射位置に供給しておいてもよい。そうすれば、遊技者が、打球操作ハンドル３７を操作した瞬間から、遊技球が遊技領域に発射される。
【０１６７】
また、前述したように循環路における上流側の方が下流よりも遊技球の移動速度が速いため、たとえ下流において遊技球の個数が一時的に足りなくなった場合においても、上流から常時遊技領域に向けて発射可能な状態が確保できるため、下流側において遊技球が不足する状態を解消することができる。
【０１６８】
以上の通常時玉循環処理は、図２２のＳ９における遊技者が打球操作している通常遊技時での玉循環処理と、図２３（ａ）のＳ１７における玉補給時に玉を循環路内に行き渡らせるための処理とに、兼用される。
【０１６９】
図２３（ｃ）は、図２２のＳ１０で示される玉送り処理のサブルーチンプログラムを示すフローチャートである。図２３（ｃ）を参照して、玉送り処理においてはまずＳ３０で発射操作の検出の有無が判別される。これは具体的には、発射位置４３から遊技領域への遊技球の発射操作の有無を判別する工程である。
【０１７０】
前述したように図１に示される打球操作ハンドル３７の周囲に設けられる、タッチセンサと称する金属プレート状のセンサが遊技者の手に触れると、パチンコ遊技機１が発射操作を検出し（Ｓ３０のＹＥＳ）、Ｓ３１に制御が進んで、ファール玉検出スイッチ３３（図１７参照）が玉を検出しているか否か判定される。通常では玉通路４４（図１７参照）にファール玉が停滞することはなく、Ｓ３１でＮＯの判定がなされてＳ３２により玉送りソレノイド４７が駆動制御されて玉が玉通路４４を経由して玉発射位置に供給される。その供給されてきた遊技球がＳ３３による発射ソレノイド４１の駆動（励磁）により遊技領域に発射される。
【０１７１】
一方、Ｓ３０においてタッチセンサが遊技者の手に触れずにパチンコ遊技機１が発射操作を検出しなければ（Ｓ３０のＮＯ）、発射ソレノイド４１が駆動することなくサブルーチンプログラムを終了する。この場合は玉通路４４における遊技球の移送は行なわれない。
【０１７２】
玉発射力が極端に弱かった場合等、何らかの理由で玉が発射されずに玉発射位置に残る場合がある、この残ったファール玉が所定個数溜まった場合には、ファール玉が玉通路４４内で停滞し、ファール玉検出スイッチ３３により停滞しているファール玉が検出されてＳ３１によりＹＥＳの判定がなされる。すると、玉送りソレノイド４７の駆動が停止され、所定個数（たとえば３個）の遊技球が発射位置４３から発射される間は、専ら発射位置４３から遊技領域へ遊技球を発射する動作が行なわれる（Ｓ３４）。ただし３個以外の個数の遊技球が発射位置４３から発射される時間であってもよい。こうして玉通路４４における遊技球の充満が解消する方向に制御が進む。上記の専ら発射位置４３から遊技領域へ遊技球を発射する動作が行なわれた後、再び発射ソレノイド４１が駆動可能な状態となるよう制御される（Ｓ３３）。
【０１７３】
ただしＳ３２、Ｓ３３において玉送りソレノイド４７および発射ソレノイド４１は図２２のプログラムの周期である２ｍｓｅｃごとに駆動可能な状態とするための制御がなされるが、実際の駆動、たとえば打球ハンマ４２の駆動による発射位置４３から遊技領域への遊技球の発射は、たとえば約６００ｍｓｅｃごとに行なわれるが、これより長い時間周期であってもよいし、これより短い時間周期であってもよい。すなわち通常通りに発射ソレノイド４１が駆動している場合には、１分間に１００回の割合で遊技球が発射装置１４から遊技領域に発射される。以上のようにＳ３２とＳ３３との共同作業により、発射装置１４は発射位置４３に向けて遊技球を搬送し、かつ発射位置４３から遊技球を発射する。Ｓ３４により玉送りソレノイド４７の励磁が停止されている間でのＳ３３による発射ソレノイド４１の駆動もたとえば約６００ｍｓｅｃごとに行なわれるが、これより長い時間周期であってもよいし、これより短い時間周期であってもよい。
【０１７４】
Ｓ３１の発射ソレノイド４１の駆動（励磁）するタイミングは、実際にはＳ３３の玉送りソレノイド４７の駆動（励磁）するタイミングに対して所定の時間差が設けられてもよい。具体的には、玉送りソレノイド４７が遊技球を送る駆動を行なった後該遊技球が発射位置４３に到達するのに要する時間だけ遅らせて発射ソレノイド４１を駆動（励磁）する。
【０１７５】
以上の図２３（ｃ）のサブルーチンプログラムにより、玉通路４４において遊技球が充満されればその上流側からの搬送を一旦停止して下流側の遊技球を発射することに専念し、下流側の遊技球の充満が解消されれば再度上流側から遊技球を送り出すというサイクルが繰り返される。
【０１７６】
なお、前述したように、Ｓ３１による判定は、所定時間（たとえば１秒間）継続してファール玉検出スイッチ３３から玉検出信号が出力される状態となったときにＹＥＳと判定されるが、その代わりに、玉送りソレノイド４７の励磁によって送られてくる遊技球がファール玉検スイッチ３３の玉検出位置を通過する瞬間のタイミングを避けたタイミングで玉を検出するように制御してもよい。
【０１７７】
具体的な制御方法としては、たとえば、玉送りソレノイド４７の励磁に伴って送りだされた遊技球が玉通路４４を流下してファール玉検出スイッチ３３の玉検出位置にまで到達する時間（到達時間）をＰ台１の製造段階で払出制御部１７１に記憶させておき、玉送りソレノイド４７の励磁を契機にタイマの計時を開始し、タイマの計時値が上記到達時間の近辺の値（例えば到達時間±０.１秒）になっていない時にファール玉検スイッチ３３による玉の検出動作を行なうように制御する。そして、タイマの計時値が上記到達時間の近辺の値（例えば到達時間±０.１秒）になっていない時にファール玉検スイッチ３３による玉の検出動作を行なって玉ありの検出信号が払出制御部１７１に入力されると、ファール玉が存在すると払出制御部１７１が判定する。
【０１７８】
図２４は、図２２に示す異常検知処理の詳細を示すフローチャートであり、図２５は、図２４に示すフローチャートの続きを示した、異常検知処理の詳細を示すフローチャートである。図２４、２５に記載の上流センサとは、図９に示すアウト球検出センサ８８及び入賞球検出センサ１１０のことである。また、図２５に記載の下流センサとは、上流センサよりも下流に位置するセンサのことであり、図１２に示す研磨入口センサ７０１のことである。なお、図２４、図２５に記載の異常検知処理も、払出制御部１７１により実行される。
【０１７９】
まず、遊技球が発射されたか否かが判定される（Ｓ４０）。打球操作ハンドル１３の周囲には、タッチセンサが形成されている。遊技者がタッチセンサに触れると、パチンコ遊技機１が発射操作を検出する。
【０１８０】
遊技球の発射が検出されると（Ｓ４０：Ｙｅｓ）、上流センサ検知待ちタイマをセットする（Ｓ４１）。上流センサ検知待ちタイマ値とは、遊技者が打球操作ハンドル１３を操作し、発射装置１４から遊技球が発射されてから、上流センサに到達するまでのタイマ値である。パチンコ遊技機１の機種によって上流センサにまで到達する時間が異なるため、機種により予め異常と判断する異なるタイマ値が、パチンコ遊技機１の製造段階で払出制御部１７１に記憶させており、遊技球発射を契機にタイマの計時が開始される。例えば、遊技球が最も時間がかかる流下態様をとった場合の、遊技球が発射されてから上流センサに到達するまでの時間に、幾分の余裕時間をプラスしたものを、上流センサ検知待ちタイマとすることができる。なお、遊技球が継続的に発射されている場合には、複数のタイマが払出制御部１７１に記憶されることになる。
【０１８１】
Ｓ４１で上流センサ検知待ちタイマがセットされると、次に、上流センサが遊技球を検知したか否かを判定する（Ｓ４２）。ここで、上流センサとは、図９に示すアウト球検出センサ８８及び入賞球検出センサ１１０のことであり、発射装置１４から発射された遊技球は、いずれかのセンサを通過することになるからである。
【０１８２】
上流センサが遊技球を検知しない場合（Ｓ４２：Ｎｏ）、上流センサ検知待ちタイマ値を減算する（Ｓ４３）。ここで、複数の上流センサ検知待ちタイマ値が設定されていると、全てのタイマ値について減算する。
【０１８３】
次に、このように減算した全ての上流センサ検知待ちタイマ値が０になったか否かを判定する（Ｓ４４）。
【０１８４】
上流センサ検知待ちタイマ値が０のものがある場合（Ｓ４４：Ｙｅｓ）、発射装置１４から発射された遊技球が上流センサに検知されないという事態が生じている。そのため、異常時処理として、払出制御部１７１は、（発射装置１４から上流センサまでの間で）玉詰まりが生じていることを、表示用ユニット５０に表示するとともに、図示しないホール用管理コンピュータやホールサーバに玉詰まりが発生した旨の通知信号を送信する（Ｓ４５）。このように、上流センサにより異常が検知され、玉詰まりが生じていると判定された場合、必ずしもパチンコ遊技機１は遊技を停止することはない。遊技店の店員が、パチンコ遊技機１の状態を確認し、玉詰まりを解消させるなど必要な対応をとればよい。一方、不正行為が行われる可能性が高い場合には、遊技を停止するようにしてもよい。これにより、不正行為等の防止や、遊技球が発射されないなど、不利な状態で遊技することにより生じる遊技者の不利益を防止することができる。なお、パチンコ遊技機１内に何らかの理由で遊技球が存在せず、あるいは、上流センサに異常が生じていることにより、上流検知待ちタイマ値が０となる場合（Ｓ４４：Ｙｅｓ）も想定される。そのため、Ｓ４４における異常時処理において、遊技球が存在していない旨や、上流センサに異常が生じている旨の通知信号を合わせて送信するようにしてもよい。この場合、遊技店の店員が、遊技盤２等の様子を視認することで玉詰まりの有無を確認したり、打球操作ハンドル３７を操作することにより、パチンコ遊技機１内の遊技球の有無を確認したりすることができる。また、確認した遊技球の有無に基づいて、上流センサの異常を確認することができる。
【０１８５】
Ｓ４０において、遊技球の発射が検出されなかった場合（Ｓ４０：Ｎｏ）、設定された上流センサ検知待ちタイマ値が存在するか判定する（Ｓ４６）。上流センサ検知待ちタイマ値がある場合（Ｓ４６：Ｙｅｓ）、制御をＳ４２に進める。上流センサ検知待ちタイマ値がない場合（Ｓ４６：Ｎｏ）、上流センサに異常が検知されていないとして、制御をＳ４９に進める。
【０１８６】
ここで、上流センサが遊技球を検知した場合（Ｓ４２：Ｙｅｓ）、上流センサ検知待ちタイマ値をリセットする（Ｓ４７）。ここで、複数の上流センサ検知待ちタイマ値が存在する場合、最も値が０に近い上流センサ検知待ちタイマ値をリセットする。発射装置１４から発射された遊技球は、発射順に上流センサに検知されるということはなく、遊技領域における流下態様により検知される順番は異なる。なお、正常な状態であれば、発射装置１４から発射された遊技球は全て上流センサに検知されるため、ここでは、最も値が０に近い上流センサ検知待ちタイマ値をリセットすることとしている。
【０１８７】
Ｓ４７に続いて、Ｓ４８において、設定された上流センサ検知待ちタイマ値が存在するか判定する。上流センサ検知待ちタイマ値がある場合（Ｓ４８：Ｙｅｓ）、制御をＳ４３に進める。上流センサ検知待ちタイマ値がない場合（Ｓ４８：Ｎｏ）、上流センサに異常が検知されていないとして、制御をＳ４９に進める。
【０１８８】
続いて上流センサが遊技球を検知したか否かが判定される（Ｓ４９）。上流センサが遊技球を検知すると（Ｓ４９：Ｙｅｓ）、下流センサ検知待ちタイマ値をセットする（Ｓ５０）。下流センサ検知待ちタイマ値とは、遊技球が上流センサを通過してから、下流センサに到達するまでのタイマ値である。このタイマ値は、パチンコ遊技機１の製造段階で払出制御部１７１に記憶させており、上流センサに検知されたことを契機にタイマの計時が開始される。なお、上流センサから下流センサまでの流下にかかる時間は、ほぼ一定であるため、下流センサ検知待ちタイマ値は、通常の流下時間に若干の時間をプラスした値に設置される。
【０１８９】
続いて、下流センサが遊技球を検知したか否かが判定される（Ｓ５１）。ここで、下流センサとは、図１２に示す研磨入口センサ７０１のことである。下流センサが遊技球を検知しなかった場合（Ｓ５１：Ｎｏ）、下流センサ検知待ちタイマ値を減算する（Ｓ５２）。ここで、複数の下流センサ検知待ちタイマ値が設定されていると、全てのタイマ値について減算する。
【０１９０】
続いて、下流センサ検知待ちタイマ値が０のものがある場合（Ｓ５３：Ｙｅｓ）、上流センサを通過した遊技球が下流センサを通過しないという状況が想定される。このような状況は、パチンコ遊技機１に封入された遊技球に磁性体が混入し、図１０に示すように、この磁性体が磁石により吸着されて流路が塞がれているという状況である。そのため、非磁性体からなる遊技球が下流に流れなくなり、下流センサである研磨入口センサ７０１に検知されないという状況が生じている。続いて、制御をＳ５４（異常時処理）に進める。なお、下流センサ検知待ちタイマ値が０のものがある場合（Ｓ５３：Ｙｅｓ）、上記の場合の他、上流センサ、あるいは下流センサに異常が発生している場合も想定される。
【０１９１】
Ｓ５４において、異常時処理として、封入された非磁性体からなる遊技球内に磁性体が混入していることを、表示用ユニット５０に表示するととともに、図示しないホール用管理コンピュータやホールサーバに玉詰まりが発生した旨の通知信号を送信する。また、パチンコ遊技機１は、遊技を停止するとともに、発射装置１４における遊技球の発射も停止する（Ｓ５４）。これにより、磁石を用いた不正行為等の防止や、遊技球が発射されないなど、不利な状態で遊技することにより生じる遊技者の不利益を防止することができる。なお、上述したように、上流センサ、あるいは下流センサに異常が発生したことによって、タイマ値が０となる場合（Ｓ５３：Ｙｅｓ）も想定される。そのため、Ｓ５４における異常時処理において、上流センサあるいは下流センサに異常が発生した旨の通知信号を合わせて送信するようにしてもよい。この場合、遊技店の店員が、本体枠１００を開放し、遊技球検出装置２７（図９）の保護カバー６８（図９）を取り外すことにより、どのような異常が生じているかを判断することが可能である。すなわち、磁石体１１４（図９）に吸着された磁性体があれば、磁性体が混入していると判断することができる。一方、磁石体１１４（図９）に吸着された磁性体がない場合には、上流センサあるいは下流センサに異常が発生していると判断することができる。
【０１９２】
Ｓ４９において、上流センサにより遊技球が検出されなかった場合（Ｓ４９：Ｎｏ）、設定された下流センサ検知待ちタイマ値が存在するか判定する（Ｓ５５）。下流センサ検知待ちタイマ値がある場合（Ｓ５５：Ｙｅｓ）、制御をＳ５１に進める。下流センサ検知待ちタイマ値がない場合（Ｓ５５：Ｎｏ）、下流センサに異常が検知されていないとして、サブルーチンプログラムを終了する。
【０１９３】
ここで、下流センサが遊技球を検知した場合（Ｓ５１：Ｙｅｓ）、下流センサ検知待ちタイマ値をリセットする（Ｓ５６）。ここで、複数の下流センサ検知待ちタイマ値が存在する場合、最も値が０に近い下流センサ検知待ちタイマ値をリセットする。
【０１９４】
Ｓ５６に続いて、Ｓ５７において、設定された下流センサ検知待ちタイマ値が存在するか判定する。下流センサ検知待ちタイマ値がある場合（Ｓ５７：Ｙｅｓ）、制御をＳ５２に進める。下流センサ検知待ちタイマ値がない場合（Ｓ５７：Ｎｏ）、下流センサに異常が検知されていないとして、サブルーチンプログラムを終了する。
【０１９５】
このように、本実施形態に係るパチンコ遊技機１においては、発射装置１４が遊技球を発射してから上流センサに検知されるまでの経過時間を監視することで、遊技球の玉詰まりを検出することができる。また、遊技球が上流センサに検知されてから下流センサに検知されるまでの経過時間を監視することで、封入された非磁性体からなる遊技球の中に混入した磁性体を検出するすることが可能である。
【０１９６】
図２６は、図２２に示す玉抜き処理の詳細を示すフローチャートである。図２２に示すＳ７において、玉移動制御モードフラグが「１」でない場合（Ｓ７：Ｎｏ）、制御をＳ１２に進め、玉抜き処理が実行される。玉抜き処理においては、図２６のＳ６０に示すように、電源断を検出したか否かが判定される（Ｓ６０）。玉抜き処理は、パチンコ遊技機１の電源がＯＦＦしたことを条件に終了する処理である。
【０１９７】
電源断を検出しなければ（Ｓ６０：Ｎｏ）、次に発射操作が検出されたか否かが判定される（Ｓ６１）。上述したように、打球操作ハンドル１３の周囲には、タッチセンサが形成されており、遊技者がタッチセンサに触れるとパチンコ遊技機１が発射操作を検出する。
【０１９８】
発射操作を検出すると（Ｓ６１：Ｙｅｓ）、遊技球を搬送するための研磨モータ７１、揚送モータ９３、玉送りソレノイド４７、発射ソレノイド４１を駆動する（Ｓ６２）。これにより、遊技球が、上述したパチンコ遊技機１内の循環路に沿って搬送される。ここで、図１４に示すように、玉抜き操作スイッチ９０を操作し切替片９０ｂをストッパ１２４ａに当接した状態することにより、玉抜き路７６に通じる遊技球の流路を形成する。これにより、搬送スクリュ７２により研磨終了端部７９にまで搬送された遊技球は、玉抜き路７６から外部へ排出される。なお、遊技球を搬送するための駆動源（具体的には研磨モータ７１、揚送モータ９３、玉送りソレノイド４７、発射ソレノイド４１）のすべてが作動しているため、パチンコ遊技機１に封入された遊技球の全てを、玉抜き路７６を通して排出することが可能となる。
【０１９９】
なお、Ｓ６２において、研磨モータ７１等の駆動源を作動させる際には、アウト球検出センサ８８、入賞球検出センサ１１０、第１充満検出センサ７５、第２充満検出センサ４０、研磨入口センサ７０１等のセンサ類は作動させない。これにより、駆動源を作動させている間に、Ｓ１１に示す異常検知処理において異常が検知されることを防止することができる。なお、図２３（ｂ）のサブルーチンプログラムにおいて、第１充満検出センサ７５及び第２充満検出センサ４０の検出結果に基づいて、研磨モータ及び揚送モータを駆動させるとともに、その搬送速度も異ならせていた。一方で、Ｓ６２において駆動源を作動させる際は、センサ類の検出結果に基いて遊技球を循環させることができない。そのため、研磨モータや揚送モータ等の搬送速度はそれぞれ同じとするのがよい。発射操作が検出されないと（Ｓ６１：Ｎｏ）、そのまま玉抜き処理を終了する。
【０２００】
電源断を検出すると（Ｓ６０：Ｙｅｓ）、遊技球の搬送手段である研磨モータ、揚送モータ、玉送りソレノイド、及び発射ソレノイドが駆動中であるか否かを判定し（Ｓ６３）、駆動中であれば（Ｓ６３：Ｙｅｓ）、研磨モータ７１、揚送モータ９３、玉送りソレノイド４７、発射ソレノイド４１を停止してから（Ｓ６４）、玉抜き処理が終了し、駆動中でなければ（Ｓ６３：Ｎｏ）、そのまま玉抜き処理を終了する。
【０２０１】
このように、玉抜き作業をする者は、パチンコ遊技機１を図２１のＳ１からＳ４までの条件を満たす状態とすることにより、パチンコ遊技機１を「玉抜き可能モード」とすることができる。このとき、表示ユニット５０（図１）には、パチンコ遊技機１が「玉抜き可能モード」である旨の表示がされる。これにより、作業者は、パチンコ遊技機１が「玉抜き可能モード」であるのか否かを確認することができ、玉抜き作業を実行してよいか容易に判断することができる。
【０２０２】
そして、「玉抜き可能モード」としたパチンコ遊技機１の玉抜き操作スイッチ９０を回動させて、遊技球の流路を玉抜き路７６につながるようにする。この状態で、打球操作ハンドル３７（図１）を操作することにより、駆動源により循環路に搬送されている遊技球を、玉抜き路７６から排出することができる。そして、パチンコ遊技機１内の遊技球が全て排出されると、電源スイッチ２１ａ（図６）により電源をＯＦＦにする。これにより、パチンコ遊技機１の「玉抜き可能モード」は終了する。
【０２０３】
パチンコ遊技機１内の遊技球がすべて排出されたか否かの判定方法としては、例えば、研磨入口センサ７０１が所定時間（例えば５秒間）検出しないことにより、表示ユニット５０（図１）に玉抜きが完了した旨の表示を行っても良い。また、玉抜き路７６からの玉の排出がないことを作業者自身が確認して、電源スイッチ２１ａ（図６）を操作して電源をＯＦＦするような態様であってもよい。
【０２０４】
図２６の玉抜き処理でのＳ６２による駆動制御は、遊技者が遊技している通常遊技時と同じ駆動制御（同じ速度での駆動制御）である。しかし、玉抜き処理時ではこれを高速化してもよい。前述したように、通常の遊技動作中では０．６秒に１発玉発射する関係上、循環路内での遊技球の循環移動速度をその発射速度以上に高速化することができない。しかし、メンテナンスモード時など遊技が行われていないときには０．６秒に１発の発射速度に拘束されないため、循環路内での遊技球の循環移動速度を通常遊技時よりも高速に制御して高速で玉抜き処理を行なうようにしてもよい。具体的には、図２６の玉抜き処理中では、Ｓ６２による研磨モータ７１、揚送モータ９３、玉送りソレノイド４７および発射ソレノイド４１の駆動速度を、通常の遊技動作中に比べて高速で回転させる。これにより、玉抜き処理の効率化を図ることができる。
【０２０５】
なお、図２０に示すように、カードユニット１０とパチンコ遊技機１とは、接続配線を介して通信可能に接続されており、それぞれで記憶している各種データを、送受信する。本実施の形態においては、Ｐ台１側において遊技玉数の変動を算出して現在の最新の遊技玉数を記憶・管理している。ＣＵ１０側においても現在の遊技玉数の算出・記憶を行なっているが、その遊技玉数はＰ台１側から送信されてきた情報に基づいたものである。一方、持玉（カード持玉数）や貯玉数、カード残高（残高）は、ＣＵ１０側において管理・記憶している。
【０２０６】
一方、図２１のＳ１からＳ４までの条件を満たす状態で電源が投入されることにより、「玉抜き可能モード」となったパチンコ遊技機１は、カードユニット１０との通信は一切行わない。これにより、パチンコ遊技機１において行われた不正データがカードユニットに送られるなどの不正を防止することができる。
【０２０７】
以上説明したように、本発明の実施形態に係るパチンコ遊技機１では、遊技球の循環路を流れる磁性体１２ａを吸着し、吸着した磁性体１２ａで循環路を塞ぐ磁石体１１４が設けられている。そのため、流下する遊技球１２は、塞き止められ、上流に連なることになる。そのため、遊技球の流れのみを検知できるセンサを、磁石体１１４の下流に設けておけば、混入した磁性体を検知することができる。このように、磁性体１２ａを検出するセンサを別途設ける必要がないため、低廉な製造コストで磁性体を検出することができる遊技機を提供することができる。
【０２０８】
また、磁性体１１４により磁性体１２ａが塞き止められて遊技球１２が上流に連なったとしても、遊技球検出装置２７内に収まるように、遊技球検出装置２７の内部には十分な長さの流路が確保されている。なお、遊技球検出装置２７には、遊技球１２を搬送するための駆動源は存在しない。そのため、このように磁性体からなる遊技球１２ａが塞き止められて上流に連なったとしても、遊技球が駆動源に接触することはなく、駆動源において遊技球が玉詰まりすることを避けることができる。
【０２０９】
また、磁石体１１４の下流だけでなく、その上流においてもセンサ（アウト球検出センサ８８、及び入賞球検出センサ１１０）を設けている。これにより、磁性体の不正混入だけでなく、遊技球の玉詰まりも検出することができ、より細かくパチンコ遊技機１の異常を検出することができる。
【０２１０】
また、循環路に生じた玉詰まりを検知したり、混入した磁性体を検知したりした場合には、遊技を停止するようにしている。これにより、磁石を用いた不正行為等の防止や、遊技球が発射されないなど、不利な状態で遊技することにより生じる遊技者の不利益を防止することができる。
【０２１１】
また、切替スイッチ１１３を回動させることで、磁石体１１４を流路（循環路）に近接した位置と、離れた位置とに切替可能である。これにより、磁石体１１４により磁性体を吸着可能としたり、吸着不可能としたり、適宜設定することができ、パチンコ遊技機１の運用の幅を広げることができる。
【０２１２】
また、磁石体１１４が磁性体１２ａを吸着する箇所を、循環路が直角に屈曲した箇所とし、遊技体が減速する位置としている。これにより、磁石体１１４により磁性体１２ａを吸着し、遊技球の流路を塞き止めることが可能となる。
【０２１３】
また、遊技玉数（持点）＝０の場合を、玉抜き処理を実行するための条件としているため、遊技玉数（持点）を保有している状態で玉抜きが許容されず、遊技中における玉抜きが行われることを防止できる。
【０２１４】
また、玉抜き操作ボタン１９が操作されている場合を、玉抜き処理を実行するための条件としているため、遊技中での玉抜き処理が防止できるとともに、遊技球の排出を必要としないようなメンテナンスを実施する際に、遊技球が排出されてしまうという不具合を防止することができる。
【０２１５】
また、透明カバー１１が閉鎖されている場合を、玉抜き処理を実行するための条件としているため、発射装置１４から発射された遊技球が、透明カバーと遊技盤２との隙間から飛び出すことを防止することができる。
【０２１６】
また、本体枠１００が開放されている場合を、玉抜き処理を実行する条件としているため、遊技がされている状態で、玉抜き処理は実行されない。そのため、遊技者に不測の不利益を与えることがない。また、本体枠１００は施錠されているため、遊技者が本体枠１００を開放することができない。これにより、遊技者が玉抜きをしてしまうことを防止することができる。
【０２１７】
また、「玉抜き可能モード」となったパチンコ遊技機１は、カードユニット１０との通信は一切行わない。これにより、パチンコ遊技機１において行われた不正データがカードユニットに送られるなどの不正を防止することができる。
【０２１８】
また、玉抜き操作スイッチ９０を回動させることにより、切替片９０ｂが、循環路９１を塞ぐとともに、玉抜き路７６を開放した状態とすることができる。搬送スクリュ７２により研磨終了端部７９にまで搬送された遊技球は、玉抜き路７６を通り、研磨装置２３の外部へ排出される。これにより、発射装置１４を用いて、遊技機内の遊技媒体を外部へ排出することができるので、パチンコ遊技機１の製造コストを抑制することができる。
【０２１９】
この発明は、上記実施の形態に限定されず、様々な変形及び応用が可能である。上記実施形態においては、磁石体１１４の上流に、上流センサであるアウト球検出センサ８８及び入賞球検出センサ１１０を、磁石体１１４の下流に、下流センサである研磨入口センサ７０１を設け、遊技球の玉詰まり、及び磁性体の検出をしていたが、上流センサを省いて下流センサのみを設ける態様であってもよい。
【０２２０】
例えば、下流センサのみを設ける場合、下流センサ検知待ちタイマは、遊技球の発射が検知された場合に設定するのがよい。なお、この場合の下流センサ検知待ちタイマは、発射装置１４により遊技球が発射されてから、下流センサに到達するまでにかかる時間を基準に設定することができる。なお、下流センサ検知待ちタイマ＝０となった場合に、同様に異常時処理を実行することになるが、この場合、玉詰まりが発生しているのか磁性体が混入しているのかのいずれであるのかは特定することはできない。しかしながら、上述の実施形態にかかるパチンコ遊技機１よりも簡単な構成で、混入した磁性体を検知することができる。また、上流センサ及び下流センサを設けたパチンコ遊技機１において、上流センサによる遊技球の検知をＯＦＦさせて、下流センサのみを作動させるようにしてもよい。
【０２２１】
また、発射装置１４による遊技球の発射が継続的に行われることを条件に、上流センサと下流センサとの検知待ちタイマを、前回の遊技球の検知したことを条件に設定するようにしてもよい。すなわち、上流センサ及び下流センサが遊技球を検出する間隔を監視して、異常を検知するようにしてもよい。なお、上述したように、遊技球が発射装置１４から発射されてから上流センサに検知されるまでの時間は、比較的ばらつきは大きい。そのため、発射装置１４が遊技球を発射する間隔に、このようなばらつきを加味した時間を基準に、上流センサ検知待ちタイマを設定するのがよい。
【０２２２】
また、上述の実施形態では、下流センサ検知待ちタイマは、上流センサが遊技球を検知した場合に設定される。すなわち、下流センサが異常を検知するのは、上流センサが遊技球を検知するのが前提であった。しかしながら、上流センサが遊技球を検知していないにも係らず、下流センサが遊技球を検知した場合にも異常を報知してもよい。例えば、下流センサが遊技球を検知した際、その直前に、上流センサが同じ遊技球を検知したかを確認するようにしてもよい。この場合、いずれかのセンサあるいは両方のセンサに異常が発生していると考えられ、その旨を表示用ユニット５０に表示してもよいし、図示しないホール用管理コンピュータやホールサーバに玉詰まりが発生した旨の通知信号を送信してもよい。
【０２２３】
また、上述の実施形態に係るパチンコ遊技機１においては、磁石体１１４が磁性体を吸着する箇所を、循環路が直角に屈曲した箇所としたが、遊技球の流下速度を減速する方法としては、他の様々な方法を採用することができる。例えば、循環路の底面に突起を設けて遊技球を減速させてもよいし、循環路を蛇行させるようにしてもよい。
【０２２４】
また、上述の実施形態に係るパチンコ遊技機１においては、研磨装置２３に設けられた球抜き操作スイッチ９０を手動で、遊技球を排出路７６に導くか、循環路９１に導くかを切り替えていた。しかしながら、玉抜き操作スイッチ９０を回動させる駆動手段を別途設けてもよい。そして、図２１のＳ１からＳ４までの条件を満たす状態とすることにより、パチンコ遊技機１が「玉抜き可能モード」に移行した際に、自動的に玉抜き操作スイッチ９０を回動させて、遊技球を排出路７６に導くようにしてもよい。また、パチンコ遊技機１が「玉抜き可能モード」に移行した際に、作業者に玉抜き操作スイッチ９０を切替るか否かを確認する旨を、表示用ユニット５０に表示して、タッチパネルあるいは、操作スイッチ群３８を用いて確認を求めるようにしてもよい。
【０２２５】
また、上述の実施形態に係るパチンコ遊技機１においては、異常検知処理を、本体枠１００に設けられた払出制御部１７１が実行すると説明した。しかしながら、例えば、本体枠１００に設けられた発射制御基板３１が実行するように構成してもよいし、遊技盤２に設けられた主制御部１６１が実行するように構成してもよい。
【符号の説明】
【０２２６】
１      パチンコ遊技機
２      遊技盤
３Ａ      上部前面枠
３Ａ      下部前面枠
８      アウト口
１４      発射装置
１０      カードユニット
１６      主制御基板
１７      払出制御基板
１９      玉抜きスイッチ
２１ａ    電源スイッチ
２３      研磨装置
２５      揚送装置
２７      遊技球検出装置
５０      表示用ユニット
６０      外枠
７６      玉抜き路
８８      アウト球検出センサ
９０      玉抜き操作スイッチ
９１      循環路
１００      本体枠
１１０      入賞球検出センサ
１１３      切替スイッチ
１１４      磁石体    
７０１      研磨入口センサ
【図１】
2020014953.tif 000003
【図２】
2020014953.tif 000004
【図３】
2020014953.tif 000005
【図４】
2020014953.tif 000006
【図５】
2020014953.tif 000007
【図６】
2020014953.tif 000008
【図７】
2020014953.tif 000009
【図８】
2020014953.tif 000010
【図９】
2020014953.tif 000011
【図１０】
2020014953.tif 000012
【図１１】
2020014953.tif 000013
【図１２】
2020014953.tif 000014
【図１３】
2020014953.tif 000015
【図１４】
2020014953.tif 000016
【図１５】
2020014953.tif 000017
【図１６】
2020014953.tif 000018
【図１７】
2020014953.tif 000019
【図１８】
2020014953.tif 000020
【図１９】
2020014953.tif 000021
【図２０】
2020014953.tif 000022
【図２１】
2020014953.tif 000023
【図２２】
2020014953.tif 000024
【図２３】
2020014953.tif 000025
【図２４】
2020014953.tif 000026
【図２５】
2020014953.tif 000027
【図２６】
2020014953.tif 000028